(57)【要約】【課題】所望のコンテンツに関連する情報が表示されるまでの時間を短縮することで、所望のコンテンツに関連する情報を短時間で視認することができる通信装置を提供すること。【解決手段】コンテンツタイトル文字列１４０等スクロール表示する時間帯を、コンテンツタイトル文字列１４０等の提供先であるＵＲＬ毎に設定する。そして、ＵＲＬ毎に設定した時間帯に応じて、コンテンツタイトル文字列１４０等をスクロール表示する。これにより、設定した時間帯に合致するコンテンツタイトル文字列１４０等だけを、スクロール表示させることができる。よって、時間帯に応じて、スクロール表示させる所望のコンテンツタイトル文字列１４０等を設定すれば、所望のコンテンツタイトル文字列１４０等がスクロール表示されるまでの時間を短縮することができる。従って、所望のコンテンツタイトル文字列１４０等を短時間で視認することができる。【選択図】図１１
2010092280.tif 000002
【特許請求の範囲】
【請求項１】
コンテンツに関連する情報を少なくとも含むコンテンツ要約情報の位置情報である要約位置情報が示す装置にアクセス可能な通信装置であって、
時刻を計時する時計手段と、
前記要約位置情報を複数記憶可能な位置情報記憶手段と、
その位置情報記憶手段に記憶された各要約位置情報が示す装置にそれぞれアクセスして、前記コンテンツ要約情報をそれぞれ取得する要約情報取得手段と、
その要約情報取得手段により取得されたコンテンツ要約情報を記憶する要約情報記憶手段と、
その要約情報記憶手段に記憶されたコンテンツ要約情報を使用して、そのコンテンツ要約情報に含まれるコンテンツに関連する情報を順次切り換えて表示する表示手段と、
その表示手段に前記コンテンツに関連する情報を表示する時間帯を前記コンテンツ要約情報毎に設定する時間帯設定手段と、
その時間帯設定手段により設定された時間帯に前記時計手段が計時する時刻が含まれている前記コンテンツ要約情報を前記要約情報記憶手段から抽出する抽出手段と、
その抽出手段により抽出されたコンテンツ要約情報に含まれるコンテンツに関連する情報を前記表示手段に表示させる表示制御手段を備えていることを特徴とする通信装置。
【請求項２】
前記表示制御手段は、
前記抽出手段によりコンテンツ要約情報が複数抽出された場合に、前記表示手段に表示する前記コンテンツに関連する情報の表示数を前記抽出されたコンテンツ要約情報毎に変更して、前記コンテンツ要約情報に含まれる新着のコンテンツに関連する情報を優先的に表示する優先表示手段を備えていることを特徴とする請求項１記載の通信装置。
【請求項３】
前記要約情報取得手段により前回取得された前記要約情報記憶手段に記憶されるコンテンツ要約情報を記憶する記憶手段と、
その記憶手段に記憶された前回取得のコンテンツ要約情報と前記抽出手段により抽出されたコンテンツ要約情報とを比較することで、前記抽出されたコンテンツ要約情報に含まれる新着のコンテンツに関連する情報の数を算出する算出手段とを備えていることを特徴とする請求項２記載の通信装置。
【請求項４】
前記表示手段に順次切り換えて表示されるコンテンツに関連する情報の合計数が所定数に制限されている場合において、
前記優先表示手段は、
前記抽出手段により抽出されたコンテンツ要約情報毎に前記コンテンツに関連する情報の表示数を設定する設定手段と、
その設定手段により前記コンテンツ要約情報毎に設定された前記表示数よりも前記新着のコンテンツに関連する情報を多く含むコンテンツ要約情報があるかを、前記算出手段による算出に基づいて判定する第１判定手段と、
前記設定手段により前記コンテンツ要約情報毎に設定された前記表示数よりも前記新着のコンテンツに関連する情報を少く含むコンテンツ要約情報があるかを、前記算出手段による算出に基づいて判定する第２判定手段と、
前記設定手段により設定された前記表示数よりも前記新着のコンテンツに関連する情報を多く含むと前記第１判定手段により判定された場合、その判定されたコンテンツ要約情報に対して前記設定手段により設定されている前記表示数を増加させる増加手段と、
前記設定手段により設定された前記表示数よりも前記新着のコンテンツに関連する情報を少なく含むと前記第２判定手段により判定された場合、その判定されたコンテンツ要約情報に対して前記設定手段により設定されている前記表示数を減少させる減少手段とを備えていることを特徴とする請求項３記載の通信装置。
【請求項５】
前記優先表示手段は、
前記算出手段により算出された前記新着のコンテンツに関連する情報の合計数が前記所定数以下であるかを判定する以下判定手段を備え、
前記増加手段は、前記新着のコンテンツに関連する情報の合計数が前記所定数以下であると前記以下判定手段により判定された場合に、前記設定手段により設定された前記表示数よりも前記新着のコンテンツに関連する情報を多く含むと前記第１判定手段により判定されたコンテンツ要約情報については、その判定されたコンテンツ要約情報が前記新着のコンテンツに関連する情報を多く含む数分だけ、前記設定手段によって設定されている前記表示数を増加させる第１増加手段を備え、
前記減少手段は、前記設定手段により設定された表示数よりも前記新着のコンテンツに関連する情報を少なく含むと前記第２判定手段により判定されたコンテンツ要約情報については、その判定されたコンテンツ要約情報に対して前記設定手段により設定されている前記表示数を、前記第１増加手段により増加された数の合計と同一の合計数となるまで減少させる第１減少手段を備えていることを特徴とする請求項４記載の通信装置。
【請求項６】
前記第１減少手段は、前記設定手段により設定された前記表示数よりも前記新着のコンテンツに関連する情報を少なく含むと前記第２判定手段により判定されたコンテンツ要約情報については、その判定されたコンテンツ要約情報が前記新着のコンテンツに関連する情報を少なく含む数分を、そのコンテンツ要約情報における減少可能な最大数として、前記設定手段により設定されている前記表示数の減少を行う制限手段を備えていることを特徴とする請求項５記載の通信装置。
【発明の詳細な説明】
【技術分野】
【０００１】
本発明は、通信装置に関するものである。
【背景技術】
【０００２】
様々なコンテンツがネットワーク上で公開されている。各コンテンツのＵＲＬと各コンテンツのタイトルとを含むコンテンツ要約情報を公開しているサーバが存在する。コンテンツ要約情報の一例として、例えば、フィード情報（Ｆｅｅｄ）を挙げることができる。フィード情報のフォーマットとしては、例えば、ＲＳＳやＡｔｏｍが存在する。下記の非特許文献１には、サーバのＵＲＬにアクセスし、そのサーバからフィード情報を取得して各コンテンツのタイトルを生成し、表示するためのソフトウェアが開示されている。このソフトウェアをＰＣにインストールすると、ユーザは、各コンテンツのタイトルを見ることができる。ユーザがタイトルをクリックすると、ＰＣは、ブラウザを起動し、そのタイトルに対応するコンテンツのＵＲＬにアクセスする。これにより、ＰＣにおいてコンテンツが表示される。    
【非特許文献１】小津智幸、“ＲＳＳ対応サイトの配信記事タイトルを電光掲示板風に表示「Ｄｉｒｔｙ  Ｎｅｗｓ  Ｒｅａｄｅｒ」”、［Ｏｎｌｉｎｅ］、平成１６年５月２６日、Ｉｍｐｒｅｓｓ  Ｃｏｒｐｏｒａｔｉｏｎ、［平成２０年７月２９日検索］、インターネット、＜ｈｔｔｐ：／／ｗｗｗ．ｆｏｒｅｓｔ．ｉｍｐｒｅｓｓ．ｃｏ．ｊｐ／ａｒｔｉｃｌｅ／２００４／０５／２６／ｄｉｒｔｙｎｅｗｓｒｅａｄｅｒ．ｈｔｍｌ＞
【発明の開示】
【発明が解決しようとする課題】
【０００３】
上述した非特許文献１に開示されたソフトウェアを、プリンタ機能やスキャナ機能を有する多機能機に応用し、コンテンツに関連する情報（例えば、コンテンツのタイトル、コンテンツの更新日時、コンテンツの要約記事、またはコンテンツのＵＲＬ等）を多機能機の表示装置にスクロール表示させる場合には、次の問題点がある。即ち、前述した多機能機では、フィード情報から生成されたコンテンツに関連する情報は、所定の順序で全てが表示装置に順次スクロール表示される。よって、コンテンツに関連する情報が大量に及ぶ場合には、所望のコンテンツに関連する情報がスクロール表示されるまで、長時間を要することになる。従って、生成されたコンテンツに関連する情報のうち、所望のコンテンツに関連する情報を視認したい場合には、ユーザは、その所望のコンテンツに関連する情報がスクロール表示されるまで、表示装置を見続ける等して、長時間待機しておかなければならないという問題点があった。
【０００４】
本発明は上述した問題点を解決するためになされたものであり、所望のコンテンツに関連する情報が表示されるまでの時間を短縮することで、所望のコンテンツに関連する情報を短時間で視認することができる通信装置を提供することを目的とする。
【課題を解決するための手段】
【０００５】
この目的を達成するために請求項１記載の通信装置は、コンテンツに関連する情報を少なくとも含むコンテンツ要約情報の位置情報である要約位置情報が示す装置にアクセス可能なものであり、時刻を計時する時計手段と、前記要約位置情報を複数記憶可能な位置情報記憶手段と、その位置情報記憶手段に記憶された各要約位置情報が示す装置にそれぞれアクセスして、前記コンテンツ要約情報をそれぞれ取得する要約情報取得手段と、その要約情報取得手段により取得されたコンテンツ要約情報を記憶する要約情報記憶手段と、その要約情報記憶手段に記憶されたコンテンツ要約情報を使用して、そのコンテンツ要約情報に含まれるコンテンツに関連する情報を順次切り換えて表示する表示手段と、その表示手段に前記コンテンツに関連する情報を表示する時間帯を前記コンテンツ要約情報毎に設定する時間帯設定手段と、その時間帯設定手段により設定された時間帯に前記時計手段が計時する時刻が含まれている前記コンテンツ要約情報を前記要約情報記憶手段から抽出する抽出手段と、その抽出手段により抽出されたコンテンツ要約情報に含まれるコンテンツに関連する情報を前記表示手段に表示させる表示制御手段を備えている。
【０００６】
なお、要約位置情報は、コンテンツ要約情報の位置を特定することができるあらゆる情報を含む概念である。要約位置情報の一例として、例えば、ＵＲＬ（Ｕｎｉｆｏｒｍ  Ｒｅｓｏｕｒｃｅ  Ｌｏｃａｔｏｒ）等を挙げることができる。また、コンテンツに関連する情報とは、例えば、コンテンツのタイトル、コンテンツの更新日時、コンテンツの要約記事、またはコンテンツのＵＲＬ等の各情報を示している。また、コンテンツのタイトルは、コンテンツの全体の文字列よりも少ない文字列であって、コンテンツの内容を反映している文字列を意味している。更に、コンテンツの要約記事とは、コンテンツの内容を要約した記事である。
【０００７】
請求項２記載の通信装置は、請求項１記載の通信装置において、前記表示制御手段は、前記抽出手段によりコンテンツ要約情報が複数抽出された場合に、前記表示手段に表示する前記コンテンツに関連する情報の表示数を前記抽出されたコンテンツ要約情報毎に変更して、前記コンテンツ要約情報に含まれる新着のコンテンツに関連する情報を優先的に表示する優先表示手段を備えている。
【０００８】
請求項３記載の通信装置は、請求項２記載の通信装置において、前記要約情報取得手段により前回取得された前記要約情報記憶手段に記憶されるコンテンツ要約情報を記憶する記憶手段と、その記憶手段に記憶された前回取得のコンテンツ要約情報と前記抽出手段により抽出されたコンテンツ要約情報とを比較することで、前記抽出されたコンテンツ要約情報に含まれる新着のコンテンツに関連する情報の数を算出する算出手段とを備えている。
【０００９】
請求項４記載の通信装置は、請求項３記載の通信装置において、前記表示手段に順次切り換えて表示されるコンテンツに関連する情報の合計数が所定数に制限されている場合において、前記優先表示手段は、前記抽出手段により抽出されたコンテンツ要約情報毎に前記コンテンツに関連する情報の表示数を設定する設定手段と、その設定手段により前記コンテンツ要約情報毎に設定された前記表示数よりも前記新着のコンテンツに関連する情報を多く含むコンテンツ要約情報があるかを、前記算出手段による算出に基づいて判定する第１判定手段と、前記設定手段により前記コンテンツ要約情報毎に設定された前記表示数よりも前記新着のコンテンツに関連する情報を少く含むコンテンツ要約情報があるかを、前記算出手段による算出に基づいて判定する第２判定手段と、前記設定手段により設定された前記表示数よりも前記新着のコンテンツに関連する情報を多く含むと前記第１判定手段により判定された場合、その判定されたコンテンツ要約情報に対して前記設定手段により設定されている前記表示数を増加させる増加手段と、前記設定手段により設定された前記表示数よりも前記新着のコンテンツに関連する情報を少なく含むと前記第２判定手段により判定された場合、その判定されたコンテンツ要約情報に対して前記設定手段により設定されている前記表示数を減少させる減少手段とを備えている。
【００１０】
請求項５記載の通信装置は、請求項４記載の通信装置において、前記優先表示手段は、前記算出手段により算出された前記新着のコンテンツに関連する情報の合計数が前記所定数以下であるかを判定する以下判定手段を備え、前記増加手段は、前記新着のコンテンツに関連する情報の合計数が前記所定数以下であると前記以下判定手段により判定された場合に、前記設定手段により設定された前記表示数よりも前記新着のコンテンツに関連する情報を多く含むと前記第１判定手段により判定されたコンテンツ要約情報については、その判定されたコンテンツ要約情報が前記新着のコンテンツに関連する情報を多く含む数分だけ、前記設定手段によって設定されている前記表示数を増加させる第１増加手段を備え、前記減少手段は、前記設定手段により設定された表示数よりも前記新着のコンテンツに関連する情報を少なく含むと前記第２判定手段により判定されたコンテンツ要約情報については、その判定されたコンテンツ要約情報に対して前記設定手段により設定されている前記表示数を、前記第１増加手段により増加された数の合計と同一の合計数となるまで減少させる第１減少手段を備えている。
【００１１】
請求項６記載の通信装置は、請求項５記載の通信装置において、前記第１減少手段は、前記設定手段により設定された前記表示数よりも前記新着のコンテンツに関連する情報を少なく含むと前記第２判定手段により判定されたコンテンツ要約情報については、その判定されたコンテンツ要約情報が前記新着のコンテンツに関連する情報を少なく含む数分を、そのコンテンツ要約情報における減少可能な最大数として、前記設定手段により設定されている前記表示数の減少を行う制限手段を備えている。
【発明の効果】
【００１２】
請求項１記載の通信装置によれば、時間帯設定手段は、コンテンツに関連する情報を表示手段に表示する時間帯をコンテンツ要約情報毎に設定する。すると、抽出手段は、時間帯設定手段により設定された時間帯に時計手段が計時する時刻が含まれているコンテンツ要約情報を要約情報記憶手段から抽出する。そして、表示制御手段は、抽出手段により抽出されたコンテンツ要約情報に含まれるコンテンツに関連する情報を表示手段に表示させる。これにより、コンテンツに関連する情報を全て表示するのではなく、抽出手段が抽出したコンテンツ要約情報に含まれるコンテンツに関連する情報を表示させることができる。よって、計時手段により計時される時刻に応じて、表示させる所望のコンテンツに関連する情報を含むコンテンツ要約情報を時間帯設定手段で設定することで、所望のコンテンツに関連する情報が表示されるまでの時間を短縮することができる。従って、所望のコンテンツに関連する情報を短時間で視認することができるという効果がある。
【００１３】
請求項２記載の通信装置によれば、請求項１記載の通信装置の奏する効果に加え、抽出手段によりコンテンツ要約情報が複数抽出された場合に、優先表示手段は、表示手段に表示するコンテンツに関連する情報の表示数を、抽出されたコンテンツ要約情報毎に変更して、抽出されたコンテンツ要約情報に含まれる新着のコンテンツに関連する情報を優先的に表示する。よって、所望のコンテンツに関連する情報を短時間で視認できる上に、新着のコンテンツに関連する情報を特に短時間で視認することができるという効果がある。
【００１４】
請求項３記載の通信装置によれば、請求項２記載の通信装置の奏する効果に加え、算出手段は、記憶手段に記憶された前回取得のコンテンツ要約情報と抽出手段により抽出されたコンテンツ要約情報とを比較することで、抽出されたコンテンツ要約情報に含まれる新着のコンテンツに関連する情報の数を算出する。よって、新着のコンテンツに関連する情報の数を誤りなく確実に算出することができるという効果がある。
【００１５】
請求項４記載の通信装置によれば、請求項３記載の通信装置の奏する効果に加え、増加手段は、設定手段によりコンテンツ要約情報毎に設定された表示数よりも新着のコンテンツに関連する情報を多く含むと第１判定手段により判定された場合、その判定されたコンテンツ要約情報に対して設定されている表示数を増加させる。一方、減少手段は、設定手段によりコンテンツ要約情報毎に設定された表示数よりも新着のコンテンツに関連する情報を少なく含むと第２判定手段により判定された場合、その判定されたコンテンツ要約情報に対して設定されている表示数を減少させる。よって、表示手段に順次切り換えて表示されるコンテンツに関連する情報の合計数が所定数に制限されている場合であっても、増加手段および減少手段により、設定手段によってコンテンツ要約情報毎に設定された表示数を増減させることで、新着のコンテンツに関連する情報をより多く表示することができるという効果がある。
【００１６】
請求項５記載の通信装置によれば、請求項４記載の通信装置の奏する効果に加え、第１増加手段は、新着のコンテンツに関連する情報の合計数が所定数以下であると以下判定手段により判定された場合に、設定手段により設定された表示数よりも新着のコンテンツに関連する情報を多く含むと第１判定手段により判定されたコンテンツ要約情報については、その判定されたコンテンツ要約情報が新着のコンテンツに関連する情報を多く含む数分だけ、設定手段によって設定されている表示数を増加させる。一方、第１減少手段は、設定手段により設定された表示数よりも新着のコンテンツに関連する情報を少なく含むと第２判定手段により判定されたコンテンツ要約情報については、その判定されたコンテンツ要約情報に対して設定手段により設定されている表示数を、第１増加手段により増加された数の合計と同一の合計数となるまで減少させる。よって、表示手段に順次切り換えて表示されるコンテンツに関連する情報の合計数が所定数に制限されている場合であっても、第１増加手段および第１減少手段により、設定手段によってコンテンツ要約情報毎に設定された表示数を増減させることで、新着のコンテンツに関連する情報をより多く表示することができるという効果がある。
【００１７】
請求項６記載の通信装置によれば、請求項５記載の通信装置の奏する効果に加え、制限手段は、設定手段により設定された表示数よりも新着のコンテンツに関連する情報を少なく含むと第２判定手段により判定されたコンテンツ要約情報については、その判定されたコンテンツ要約情報が新着のコンテンツに関連する情報を少なく含む数分を、そのコンテンツ要約情報における減少可能な最大数として、設定手段により設定されている表示数の減少を行う。つまり、設定手段により設定された表示数よりも新着のコンテンツに関連する情報を少なく含むコンテンツ要約情報については、設定手段により設定されている表示数の減少を行うが、その減少できる最大値を少なく含む数分に制限している。よって、設定手段により設定された表示数が減少されても、新着のコンテンツに関連する情報を確実に全て表示することができるという効果がある。
【発明を実施するための最良の形態】
【００１８】
以下、本発明の好ましい実施形態について、添付図面を参照して説明する。図１は、本発明の一実施形態における多機能機システム２の概略を示した図である。多機能機システム２は、多機能機１０と複数のＰＣ７０，７１と複数のコンテンツ提供サーバ９０，９１とを備える。なお、図１では、１つの多機能機１０と２つのＰＣ７０，７１と２つのコンテンツ提供サーバ９０，９１としか示されていないが、これらの数は適宜変更することができる。
【００１９】
なお、本実施形態の多機能機１０によれば、コンテンツタイトル文字列１４０およびコンテンツ更新日時情報１４２を表示パネル５０にスクロール表示する時間帯を、コンテンツタイトル文字列１４０等の提供先であるＵＲＬ毎に設定することができる。そして、ＵＲＬ毎に設定した時間帯に応じて、コンテンツタイトル文字列１４０およびコンテンツ更新日時情報１４２を表示パネル５０にスクロール表示することができる。これにより、コンテンツタイトル文字列１４０等を全てスクロール表示させるのではなく、設定した時間帯に合致するコンテンツタイトル文字列１４０等だけを、スクロール表示させることができる。よって、時間帯に応じて、スクロール表示させる所望のコンテンツタイトル文字列１４０等を設定することで、所望のコンテンツタイトル文字列１４０等がスクロール表示されるまでの時間を短縮することができる。従って、所望のコンテンツタイトル文字列１４０等を短時間で視認することができる。
【００２０】
図１に示す多機能機１０は、印刷機能、スキャナ機能、電話機能等を実現する通信装置であり、ＬＡＮ回線４に接続されている。各ＰＣ７０，７１は、多機能機１０の印刷機能やスキャナ機能を制御する制御装置であり、ＬＡＮ回線４に接続されている。ＬＡＮ回線４は、ルータ６を介してインターネット８に接続されている。各コンテンツ提供サーバ９０，９１は、インターネット８に接続されている。本実施形態では、コンテンツ提供サーバ９０が１つのサイトを公開しており、コンテンツ提供サーバ９１が他の１つのサイトを公開している。各サイトは、複数のコンテンツを含んでいる。さらに、各コンテンツ提供サーバ９０，９１は、自身のサイトが含んでいる複数のコンテンツの要約情報であるフィード情報（ＲＳＳ形式のフィード情報）を記憶している。これらの情報の具体的な内容については、後で詳しく説明する。
【００２１】
次に、ＰＣ７０の内部構成について説明する。なお、ＰＣ７１は、ＰＣ７０と同様の内部構成であるので、その説明を省略する。ＰＣ７０は、ＣＰＵ７２とハードディスク７４と表示部８２と操作部８４を主に有する。なお、図１には示されていないが、ＰＣ７０は、ＬＡＮ回線４に接続されているネットワークインターフェイスも有している。
【００２２】
ＣＰＵ７２は、演算装置であり、基本プログラム７６および常駐ソフト７８に従って処理を実行する。ハードディスク７４は、基本プログラム７６および常駐ソフト７８を記憶している。基本プログラム７６は、ＰＣ７０の基本的な動作を制御するためのプログラムである。基本プログラム７６は、例えば、インターネット８のサイトからコンテンツをダウンロードして表示するためのブラウザを含んでいる。
【００２３】
常駐ソフト７８は、多機能機１０に、ＰＣ７０が起動したことを示すＰＣ起動通知を送信したり、多機能機１０からの指示に従って動作したりするためのプログラムである。ＰＣ起動通知については、後で詳しく説明する。常駐ソフト７８は、例えば、コンピュータ読取可能媒体からＰＣ７０にインストールされる。また、常駐ソフト７８は、例えば、インターネット８のサイトからダウンロードされてＰＣ７０にインストールされてもよい。
【００２４】
ハードディスク７４は、設定ファイル８０を記憶している。設定ファイル８０は、多機能機１０のＩＰアドレスを含んでいる。設定ファイル８０の記憶内容は、例えば、ユーザによって設定される。設定ファイル８０の記憶内容の利用については、後で詳しく説明する。
【００２５】
表示部８２は、様々な情報を表示することができる。表示部８２は、多機能機１０が有する表示パネル５０（図２参照）より大きい表示画面を有する。操作部８４は、キーボードやマウスによって構成される。ユーザは、操作部８４を操作することによって、様々な指示や情報をＰＣ７０に入力することができる。
【００２６】
次に、図２を参照して多機能機１０について説明する。図２は、多機能機１０の電気的構成を示すブロック図である。多機能機１０は、制御部１２と表示パネル５０とキーパッド５２と印刷部５４とスキャン部５６とＦＡＸ部５８とネットワークインターフェイス（以後、「ネットワークＩ／Ｆ」と称す）６０とＰＳＴＮインターフェイス（以後、「ＰＳＴＮ  Ｉ／Ｆ」と称す）６２とスピーカ６４と時計装置６６とを主に有する。なお、制御部１２と各部５０〜６６とは、バスライン６８を介して互いに接続されている。制御部１２は、ＣＰＵ１４とＲＯＭ１６とＲＡＭ１８とＮＶＲＡＭ２０を主に有する。
【００２７】
ＣＰＵ１４は、演算装置であり、ＲＯＭ１６に記憶されている各プログラム１６ａ〜１６ｃに従って処理を実行する。ＣＰＵ１４が実行する処理については、図６〜図１１を用いて後に詳しく説明する。ＲＯＭ１６は、各プログラム１６ａ〜１６ｃを記憶する書き込み不能な不揮発性のメモリである。
【００２８】
基本機能プログラム１６ａは、多機能機１０の基本的な動作を制御するためのプログラムである。基本機能プログラム１６ａは、例えば、表示パネル５０に表示される表示データを生成するためのプログラムを含んでいる。また、基本機能プログラム１６ａは、例えば、印刷部５４、スキャン部５６、ＦＡＸ部５８等の各部５０〜６６を制御するためのプログラムを含んでいる。インターネット接続プログラム１６ｂは、インターネット８に接続するためのプログラムである。フィード情報利用プログラム１６ｃは、コンテンツ提供サーバ９０，９２から取得されるフィード情報を解析し、表示パネル５０で表示するための情報（以下、「表示情報」と称す）を作成し、その表示情報を表示する処理や、各コンテンツ提供サーバ９０，９１が有するフィード情報の取得先となるＵＲＬの設定等を行う処理である図６〜図１１に示す処理を実行するためのプログラムである。
【００２９】
ＲＡＭ１８は、各記憶領域１８ａ〜１８ｄおよび各フラグ１８ｅ，１８ｆを有する読み書き可能な揮発性のメモリである。基本機能ワーク領域１８ａは、基本機能プログラム１６ａに従って処理が実行される過程で生成される各種データを記憶するための記憶領域である。フィード情報解析ワーク領域１８ｂは、フィード情報利用プログラム１６ｃに従って処理が実行される過程で作成される各種データを記憶するための記憶領域である。
【００３０】
表示情報記憶領域１８ｃは、フィード情報利用プログラム１６ｃに従い、取得されたフィード情報を利用して作成される表示情報を記憶するための記憶領域である。
【００３１】
テンポラリ記憶領域１８ｄは、フィード情報を新たに取得する場合に、既に、表示情報記憶領域１８ｃに記憶されている表示情報を（前回取得したフィード情報から生成された表示情報を）、記憶するための記憶領域である。ＣＰＵ１４は、テンポラリ記憶領域１８ｄに、前回取得したフィード情報から生成された表示情報を記憶させて、新たに取得したフィード情報と比較し、新たに取得したフィード情報に含まれる更新コンテンツ情報１３２（図４参照）が新着であるか否かを判定する。よって、新着の更新コンテンツ情報１３２の数を誤りなく確実に算出することができる。なお、更新コンテンツ情報１３２とは、コンテンツタイトル文字列１４０、コンテンツ更新日時情報１４２、コンテンツ要約文字列１４４およびコンテンツＵＲＬ１４６を含む情報である（図４参照）。
【００３２】
情報取得済みフラグ１８ｅは、フィード情報の取得先として設定された全ての各ＵＲＬからフィード情報を取得した場合にオンとなるフラグである。この情報取得済みフラグ１８ｅは、フィード情報の取得先として設定された全ての各ＵＲＬから、未だフィード情報を取得していない場合にオフとなる。
【００３３】
新着フラグ１８ｆは、更新コンテンツ情報１３２が新着であり、且つ、その新着の更新コンテンツ情報１３２から生成されるコンテンツタイトル文字列１４０等が表示パネル５０で未だスクロール表示されていない場合に、つまり、コンテンツタイトル文字列１４０等が新着である場合に、オンとなるフラグである。この新着フラグ１８ｆは、新着のコンテンツタイトル文字列１４０等が、表示パネル５０で一度スクロール表示されると、オフになる。この新着フラグ１８ｆは、更新コンテンツ１３２の数に応じて設けられている。
【００３４】
本実施形態の多機能機１０では、フィード情報の取得先であるＵＲＬは、０からｎ−１までの計ｎ個（ｎは１以上の数）、ＵＲＬ記憶領域２０ｂに記憶されている（図３（ｂ）参照）。そして、本実施形態の多機能機１０では、設定されるフィード情報の取得先である各ＵＲＬ毎に、０からｍ−１までの計ｍ個（ｍは１以上の数）の更新コンテンツ１３２が表示情報記憶領域１８ｃに記憶されている（図４参照）。よって、新着フラグ１８ｆは、新着０フラグ１８ｆ０〜新着（ｎ−１）（ｍ−１）フラグ１８ｆ（ｎ−１）（ｍ−１）までの計ｎ×ｍ個、設けられている。なお、この新着フラグ１８ｆは、表示情報記憶領域１８ｃに記憶される更新コンテンツ情報１３２の数に応じて、使用される。例えば、ＵＲＬ記憶領域２０ｂに設定されたＵＲＬが１であり、そのＵＲＬから取得されたフィード情報により生成された更新コンテンツ情報１３２が２つであれば、新着０フラグ１８ｆ０〜新着２フラグ１８ｆ２の計３つが使用され、その他の新着フラグは不使用となる。
【００３５】
ＮＶＲＡＭ２０は、各記憶領域２０ａ〜２０ｃを有する書き換え可能な不揮発性のメモリである。基本機能パラメータ記憶領域２０ａは、ＣＰＵ１４が、基本機能プログラム１６ａに従って処理を実行する際に利用される各種パラメータ（例えば印刷機能における設定、スキャン機能における設定等）を記憶するための記憶領域である。
【００３６】
ＵＲＬ記憶領域２０ｂは、各コンテンツ提供サーバ９０，９１が有するフィード情報の取得先となるＵＲＬ、そのＵＲＬから取得されたフィード情報により生成されたコンテンツタイトル文字列１４０等の表示パネル５０への表示開始時間、およびそのコンテンツタイトル文字列１４０等の表示終了時間を記憶するための記憶領域である。
【００３７】
例えば、ユーザは、各コンテンツ提供サーバ９０，９１からのコンテンツ提供サービスを受けるためのＵＲＬ設定や、表示開始時間および表示終了時間を行なう必要がある。これらの設定は、図７で後述するサイト設定処理が実行された場合に、表示パネル５０に表示されるサイト設定画面で行うことができる。サイト設定画面で、ＵＲＬ設定、表示開始時間および表示終了時間が行われると、それらの設定がＵＲＬ記憶領域２０ｂに記憶される。このサイト設定画面については、図３（ａ）を用いて後述する。
【００３８】
なお、上述の設定は、サイト設定画面以外にも、ＰＣ７０，７１を利用して実行されてもよい。例えば、ユーザがＰＣ７０を利用してコンテンツ提供サーバ９０からのコンテンツ提供サービスを受けるための登録を行なった場合、コンテンツ提供サーバ９０のフィード情報の取得先となるＵＲＬ、表示開始時間、および表示終了時間が、ＰＣ７０から多機能機１０に送信される。これにより、ＵＲＬ記憶領域２０ｂに、ＵＲＬ、表示開始時間および表示終了時間が記憶されるように構成しても良い。
【００３９】
このＵＲＬ記憶領域２０ｂに、フィード情報の取得先となるＵＲＬに加え、そのＵＲＬから取得されたフィード情報により生成されたコンテンツタイトル文字列１４０等のスクロール表示開始時間およびそのコンテンツタイトル文字列１４０等のスクロール表示終了時間を設定することで、表示情報記憶領域１８ｃに記憶されたコンテンツタイトル文字列１４０等を全てスクロール表示させるのではなく、設定した時間帯に合致するコンテンツタイトル文字列１４０およびコンテンツ更新日時情報１４２だけを、スクロール表示させることができる。
【００４０】
表示設定メモリ２０ｃは、表示パネル５０に一度にスクロール表示できる各ＵＲＬのコンテンツタイトル文字列１４０等の最大合計件数（以後、「最大表示件数」と称す）を記憶する領域である。また、表示設定メモリ２０ｃは、新着のコンテンツタイトル文字列１４０等が優先的にスクロール表示されるように、各ＵＲＬ毎に、コンテンツタイトル文字列等を表示できる件数を変更するか否かの設定（以後、「新着時表示件数を固定するか、固定しないか」と称す）も記憶する。更に、表示設定メモリ２０ｃは、フィード情報の更新を行う時間間隔（以後、「情報更新間隔」と称す）の設定も記憶する。これらの設定は、図８で後述する表示設定処理が実行された場合に、表示パネル５０に表示される表示設定画面で行うことができる。この表示設定画面については、図５を用いて後述する。なお、上述の設定は、表示設定画面以外にも、ＰＣ７０，７１を利用して実行されてもよい。なお、具体的な方法については、ＵＲＬ記憶領域２０ｂの場合と同様である。
【００４１】
表示パネル５０は、様々な情報を表示する表示装置である。表示パネル５０の表示画面は、ＰＣ７０，７１が有する表示画面より小さい。なお、表示パネル５０は、タッチパネルとして機能する。キーパッド５２は、複数のキーによって構成される。ユーザは、キーパッド５２を操作することによって様々な指示や情報を多機能機１０に入力することができる。印刷部５４は、インクジェットタイプ、レーザタイプ等の印刷機構を有する。スキャン部５６は、ＣＣＤ、ＣＩＳ等の読取機構を有する。ＦＡＸ部５８は、ＦＡＸ通信を実行するための各種動作を実行する。ネットワークインターフェイス６０は、ＬＡＮ回線４に接続されている。多機能機１０は、ＰＣ７０，７１と通信可能であると共に、インターネット８にアクセス可能である。ＰＳＴＮインターフェイス６２は、図示省略しているＰＳＴＮ（Ｐｕｂｌｉｃ  Ｓｗｉｔｃｈｅｄ  Ｔｅｌｅｐｈｏｎｅ  Ｎｅｔｗｏｒｋ）に接続されている。ＰＳＴＮは、ＦＡＸ通信や電話通信を行なう際に利用される。スピーカ６４は、電話機能による新着が行われた場合に、鳴動音を出力する放音装置である。また、時計装置６６は、現在の時刻を計時する装置である。
【００４２】
次に、図３を参照して、サイト設定画面およびＵＲＬ記憶領域２０ｂ（図２参照）の記憶内容について説明する。図３（ａ）は、表示パネル５０に表示されるサイト設定画面を示した図である。図３（ｂ）は、ＵＲＬ記憶領域２０ｂの記憶内容の一例を示した図である。
【００４３】
まず、図３（ａ）について説明する。サイト設定画面は、各コンテンツ提供サーバ９０，９１からのコンテンツ提供サービスを受けるためのＵＲＬを入力する領域、即ち、入力欄がｎ個（入力欄５０ａ１〜５０ａｎ）、設けられている。また、入力欄５０ａ１〜５０ａｎに対応して、ＵＲＬから取得されたフィード情報により生成されたコンテンツタイトル文字列１４０等の表示パネル５０への表示を開始する時間（以後、「表示開始時間」と称す）を入力する領域である表示開始時間入力欄５０ｂ１〜５０ｂｎと、そのコンテンツタイトル文字列１４０等の表示を終了する時間（以後、「表示終了時間」と称す）を入力する領域である表示終了時間入力欄５０ｃ１〜５０ｃｎとが、それぞれｎ個ずつ設けられている。
【００４４】
ユーザは、入力欄５０ａ１〜５０ａｎのいずれかを選択し、キーパッド５２を使用してＵＲＬを入力すると、その入力されたＵＲＬが選択した入力欄に表示される。そして、ＵＲＬが入力された入力欄に対応する表示開始時間入力欄５０ｂ１〜５０ｂｎのいずれかに、表示開始時間を入力すると、その入力された時間が表示開始時間入力欄に表示される。同様に、表示終了時間入力欄５０ｃ１〜５０ｃｎのいずれかに、表示終了時間を入力すると、その入力された時間が表示終了時間入力欄に表示される。その後、ＯＫボタン５０ｄが押下されると、入力欄５０ａ１〜５０ａｎに入力されたＵＲＬ、表示開始時間入力欄５０ｂ１〜５０ｂｎに入力された表示開始時間および表示終了時間入力欄５０ｃ１〜５０ｃｎに入力された表示終了時間が一組となって、ＵＲＬ記憶領域２０ｂに記憶される。なお、キャンセルボタン５０ｅが押下されると、サイト設定画面が表示パネル５０から消去され、ＵＲＬ記憶領域２０ｂへの記憶は行われない。
【００４５】
次に、図３（ｂ）について説明する。図３（ｂ）に示すように、ＵＲＬ記憶領域２０ｂは、各コンテンツ提供サーバ９０，９１のフィード情報の取得先となるＵＲＬ１０２、ＵＲＬ１０２から取得されたフィード情報により生成されたコンテンツタイトル文字列１４０等の表示開始時間およびそのコンテンツタイトル文字列１４０等の表示終了時間を記憶することが可能である。換言すると、ＵＲＬ記憶領域２０ｂは、各サイトのフィード情報の取得先となるＵＲＬ１０２、表示開始時間および表示終了時間を記憶することが可能である。図３（ｂ）の例では、ｎ個のＵＲＬ１０２、表示開始時間および表示終了時間が記憶されている。各ＵＲＬ１０２、表示開始時間および表示終了時間には、識別番号１００が付与されている。本実施形態では、識別番号１００を符号「ｉ」で表現する。
【００４６】
上述した通り、各ＵＲＬ１０２毎に、表示開始時間および表示終了時間を設定することで、コンテンツタイトル文字列１４０等が表示パネル５０にスクロール表示される時間帯を設定することができる。言い換えれば、各ＵＲＬ１０２毎に、時間帯を設定することで、コンテンツタイトル文字列１４０を生成したフィード情報が利用される時間帯を設定することができる。
【００４７】
次に、図４を参照して、ＲＡＭ１８の表示情報記憶領域１８ｃの記憶内容について説明する。図４は、表示情報記憶領域１８ｃの記憶内容の一例を示した図である。表示情報記憶領域１８ｃは、ＵＲＬ記憶領域２０ｂに記憶されているＵＲＬ毎に表示情報１１２を記憶することが可能である。換言すると、表示情報記憶領域１８ｃは、ＵＲＬ記憶領域２０ｂに記憶されているサイト毎に表示情報１１２を記憶することが可能である。上述したように、ＵＲＬ記憶領域２０ｂにはｎ個（ｎは１以上の整数）のＵＲＬ１０２が記憶されている（図３（ｂ）参照）。このために、表示情報記憶領域１８ｃにもｎ個の表示情報１１２が記憶されている。各表示情報１１２には、識別番号１１０が付与されている。本実施形態では、識別番号１１０を符号「ｉ」で表現する。なお、識別情報１１０と上述した識別情報１００は、同一情報である。
【００４８】
次に、個々の表示情報１１２のデータ構成について説明する。表示情報１１２は、サイト情報１２０を含んでいる。サイト情報１２０は、サイトタイトル文字列１２２とフィード更新日時情報１２４を含んでいる。サイトタイトル文字列１２２は、サイトのタイトルの文字列である。フィード更新日時情報１２４は、コンテンツ提供サーバにおいてフィード情報が更新された日時（最新の更新日時）に関する情報である。
【００４９】
表示情報１１２は、更新コンテンツ情報１３２を含んでいる。更新コンテンツ情報１３２の数は、サイトが有するコンテンツの数に等しい。例えば、図５では、「ｉ＝０」に対応する表示情報１１２は、ｍ個（ｍは１以上の整数）の更新コンテンツ情報１３２を有する。これは、「ｉ＝０」に対応するサイトがｍ個のコンテンツを有することを意味する。例えば、所定のサイトにおいて天気予報に関するコンテンツとスポーツに関するコンテンツとが存在する場合、そのサイトに対応する表示情報１１２は、２個の更新コンテンツ情報１３２を有することになる。各更新コンテンツ情報１３２には、識別番号１３０が付与されている。本実施形態では、識別番号１３０を符号「ｊ」で表現する。
【００５０】
各更新コンテンツ情報１３２は、コンテンツタイトル文字列１４０とコンテンツ更新日時情報１４２とコンテンツ要約文字列１４４とコンテンツＵＲＬ１４６を含んでいる。よって、更新コンテンツ情報１３２が新着であれば、コンテンツタイトル文字列１４０、コンテンツ更新日時情報１４２、コンテンツ要約文字列１４４およびコンテンツＵＲＬ１４６も新着となる。よって、コンテンツタイトル文字列１４０等が新着であるか否かは、更新コンテンツ情報１３２が新着か否かで判定することができる。なお、ＣＰＵ１４は、新着の更新コンテンツ情報１３２を識別情報１３０が「ｊ＝０」から順に上位に記憶する。
【００５１】
表示情報１１２で上述した例の説明を行う。上述の例においては、天気予報に関するコンテンツに対応する更新コンテンツ情報１３２が情報１４０〜１４６を含んでおり、スポーツに関するコンテンツに対応する更新コンテンツ情報１３２も情報１４０〜１４６を含んでいる。コンテンツタイトル文字列１４０は、コンテンツのタイトルの文字列である。コンテンツ更新日時情報１４２は、コンテンツ提供サーバにおいてコンテンツが更新された日時（最新の更新日時）に関する情報である。コンテンツ要約文字列１４４は、コンテンツが有する文字列が要約化されたものである。換言すると、コンテンツ要約文字列１４４は、コンテンツのタイトルより多い文字列であり、コンテンツの全体の文字列より少ない文字列であり、コンテンツの内容が反映された文字列である。コンテンツＵＲＬ１４６は、コンテンツのＵＲＬである。
【００５２】
なお、本実施形態においては、多機能機１０は、表示パネル５０に、上述したコンテンツタイトル文字列１４０とコンテンツ更新日時情報１４２とを少なくともスクロール表示する。ただし、多機能機１０は、表示パネル５０に、更に、コンテンツ要約文字列１４４とコンテンツＵＲＬ１４６とを表示することも可能である。
【００５３】
次に、図５を参照して、表示設定画面での設定内容について説明する。図５は、表示パネル５０に表示される表示設定画面を示した図である。表示設定画面には、最大表示件数を設定する設定欄５１ａと、新着時表示件数を固定するか、固定しないかを設定する新着時表示件数設定欄５１ｂと、情報更新間隔を設定する情報更新間隔設定欄５１ｃとが設けられている。図５においては、設定欄５１ａに「３０」件が設定されている。よって、表示パネル５０に一度にスクロール表示するコンテンツタイトル文字列１４０等の最大件数は「３０」件となる。また、新着時表示件数設定欄５１ｂには「固定しない」が設定されている。よって、新着のコンテンツタイトル文字列１４０等の表示件数を増加させ、新着のコンテンツタイトル文字列１４０等が優先的にスクロール表示されるように、各ＵＲＬ毎に、コンテンツタイトル文字列等を表示できる件数を変更する設定となる。そして、情報更新間隔設定欄５１ｃには「３ｈ」が設定されている。よって、フィード情報の更新を行う時間間隔は「３時間」となる。この状態で、ＯＫボタン５１ｄが押下されると、設定欄５１ａ、新着時表示件数設定欄５１ｂおよび情報更新間隔設定欄５１ｃに設定された各情報が一組となって、表示設定メモリ２０ｃに記憶される。なお、キャンセルボタン５１ｅが押下されると、表示設定画面が表示パネル５０から消去され、表示設定メモリ２０ｃへの記憶は行われない。
【００５４】
なお、新着時表示件数設定欄５１ｂには「固定する」または「固定しない」のいずれか一方を設定することができる。新着時表示件数設定欄５１ｂに「固定する」が設定されると、新着の更新コンテンツ情報１３２の数が各ＵＲＬ毎に違っていても、予め定められた各ＵＲＬ毎の表示件数（以後、「データ表示件数」と称す）に従って、新着の更新コンテンツ情報１３２をスクロール表示する。一方、新着時表示件数設定欄５１ｂに「固定しない」が設定されると、各ＵＲＬ毎にデータ表示件数を変更することで、新着のコンテンツタイトル文字列１４０等の表示件数を増加させ、新着の更新コンテンツ１３２を優先的にスクロール表示する。なお、この設定の詳細については、図１２で後述する。
【００５５】
次に、図６〜図１１を参照して、多機能機１０のＣＰＵ１４によって実行される処理について説明する。まずは、図６を参照して、多機能機１０のＣＰＵ１４によって実行されるメイン処理について説明する。図６は、多機能機１０により実行されるメイン処理を示したフローチャートである。メイン処理は、多機能機１０の電源がオンされた場合に実行が開始される。そして、このメイン処理は、電源オンの期間中、繰り返し実行される。
【００５６】
メイン処理では、まず、ＣＰＵ１４は、各コンテンツ提供サーバ９０，９１からのコンテンツ提供サービスを受けるためのＵＲＬ設定等を行うサイト設定画面の表示がユーザのキーパッド５２の操作により指示されたか否かを判定する（Ｓ２１）。なお、ユーザのキーパット５２の操作により、サイト設定画面の表示が指示されると、その指示がＲＡＭ１８の所定領域に記憶される。ＣＰＵ１４は、ＲＡＭ１８の所定領域に記憶された上述の指示により、Ｓ２１の処理で、サイト設定画面の表示が指示されたか否かを判定する。これは、後述する表示設定画面の表示の指示の場合も同様である。
【００５７】
Ｓ２１の処理で、ＣＰＵ１４は、サイト設定画面の表示が指示されたと判定した場合には（Ｓ２１：Ｙｅｓ）、サイト設定処理（Ｓ２２）を実行する。一方、ＣＰＵ１４は、サイト設定画面の表示が指示されていないと判定した場合には（Ｓ２１：Ｎｏ）、最大表示件数等を設定する表示設定画面の表示がユーザのキーパッド５２の操作により指示されたか否かを判定する（Ｓ２３）。
【００５８】
Ｓ２３の処理で、ＣＰＵ１４は、表示設定画面の表示が指示されたと判定した場合には（Ｓ２３：Ｙｅｓ）、表示設定処理（Ｓ２４）を実行する。一方、ＣＰＵ１４は、表示設定画面の表示が指示されていないと判定した場合には（Ｓ２３：Ｎｏ）、スクロール表示処理（Ｓ２５）を実行する。なお、ＣＰＵ１４は、Ｓ２２、Ｓ２４またはＳ２５の処理後、このメイン処理を終了する。
【００５９】
次に、図７を参照して、各コンテンツ提供サーバ９０，９１からのコンテンツ提供サービスを受けるためのＵＲＬの設定、表示開始時間の設定および表示終了時間の設定を行うサイト設定処理について説明する。図７は、多機能機１０のＣＰＵ１４によって実行されるサイト設定処理を示したフローチャートである。サイト設定処理では、まず、ＣＰＵ１４は、サイト設定画面（図３（ａ）参照）を、表示パネル５０に表示する（Ｓ３１）。サイト設定画面が表示パネル５０に表示されると、ユーザは、各入力欄５０ａ１〜５０ａｎへ、各コンテンツ提供サーバ９０，９１からのコンテンツ提供サービスを受けるためのＵＲＬを、キーパッド５２を使用して入力することができる。また、ユーザは、各表示開始時間入力欄５０ｂ１〜５０ｂｎへ表示開始時間を、表示終了時間入力欄５０ｃ１〜５０ｃｎへ表示終了時間を、キーパッド５２を使用して入力することができる。
【００６０】
その後、ＣＰＵ１４は、ＯＫボタン５０ｄが押下されたかを判定する（Ｓ３２）。ＣＰＵ１４は、ＯＫボタン５０ｄが押下されたと判定した場合には（Ｓ３２：Ｙｅｓ）、各入力欄５０ａ１〜５０ａｎに入力されたＵＲＬ、各表示開始時間入力欄５０ｂ１〜５０ｂｎに入力された表示開始時間および各表示終了時間入力欄５０ｃ１〜５０ｃｎに入力された表示終了時間を、ＵＲＬ記憶領域２０ｂに記憶する（Ｓ３３）。その後、このサイト設定処理を終了する。一方、ＣＰＵ１４は、ＯＫボタン５０ｄが押下されていないと判定した場合には（Ｓ３２：Ｎｏ）、キャンセルボタン５０ｅが押下されたかを判定する（Ｓ３４）。ＣＰＵ１４は、キャンセルボタン５０ｅが押下されていないと判定すると（Ｓ３４：Ｎｏ）、Ｓ３２の処理へ戻る。一方、ＣＰＵ１４は、キャンセルボタン５０ｅが押下されたと判定すると（Ｓ３４：Ｙｅｓ）、このサイト設定処理を終了する。なお、サイト設定処理が終了すると、サイト設定画面が表示パネル５０から消去される。
【００６１】
次に、図８を参照して、最大表示件数、新着時表示件数およびデータ更新間隔を設定する表示設定処理について説明する。図８は、多機能機１０のＣＰＵ１４によって実行される表示設定処理を示したフローチャートである。表示設定処理では、まず、ＣＰＵ１４は、表示設定画面（図５参照）を、表示パネル５０に表示する（Ｓ４１）。サイト設定画面が表示パネル５０に表示されると、ユーザは、設定欄５１ａへ、最大表示件数を、キーパッド５２を使用して入力することができる。また、新着時表示件数設定欄５１ｂへ、新着時表示件数を固定するか固定しないかを、キーパッド５２を使用して入力することができる。同様に、情報更新間隔設定欄５１ｃへ、情報更新間隔を、キーパッド５２を使用して入力することができる。
【００６２】
その後、ＣＰＵ１４は、ＯＫボタン５１ｄが押下されたかを判定する（Ｓ４２）。ＣＰＵ１４は、ＯＫボタン５１ｄが押下されたと判定した場合には（Ｓ４２：Ｙｅｓ）、設定欄５１ａ、新着時表示件数設定欄５１ｂおよび情報更新間隔設定欄５１ｃに入力された各入力値を、表示設定メモリ２０ｃに記憶する（Ｓ４３）。その後、この表示設定処理を終了する。
【００６３】
一方、ＣＰＵ１４は、ＯＫボタン５１ｄが押下されていないと判定した場合には（Ｓ４２：Ｎｏ）、キャンセルボタン５１ｅが押下されたかを判定する（Ｓ４４）。ＣＰＵ１４は、キャンセルボタン５０ｅが押下されていないと判定すると（Ｓ４４：Ｎｏ）、Ｓ４２の処理へ戻る。一方、ＣＰＵ１４は、キャンセルボタン５１ｅが押下されたと判定すると（Ｓ４４：Ｙｅｓ）、この表示設定処理を終了する。なお、表示設定処理が終了すると、表示設定画面が表示パネル５０から消去される。
【００６４】
次に、図９を参照して、各ＵＲＬからフィード情報を取得して、表示情報記憶領域１８ｃの記憶内容を更新すると共に、新着の更新コンテンツ情報１３２を選出するデータ更新処理について説明する。図９は、多機能機１０のＣＰＵ１４によって実行されるデータ更新処理を示したフローチャートである。このデータ更新処理は、多機能機１０の電源がオンされた場合に、表示設定メモリ２０ｃに記憶された情報更新間隔毎に繰り返し実行される。
【００６５】
データ更新処理では、まず、ＣＰＵ１４は、ＵＲＬ記憶領域２０ｂの記憶内容を参照する（Ｓ５１）。そして、ＣＰＵ１４は、フィード情報を取得するＵＲＬがＵＲＬ記憶領域２０ｂに記憶されているか否かを判定する（Ｓ５２）。ＣＰＵ１４は、フィード情報を取得するＵＲＬがＵＲＬ記憶領域２０ｂに記憶されていないと判定すると（Ｓ５２：Ｎｏ）、フィード情報を取得して更新することができないので、このデータ更新処理を終了する。
【００６６】
一方、Ｓ５２の処理で、ＣＰＵ１４は、フィード情報を取得するＵＲＬがＵＲＬ記憶領域２０ｂに記憶されていると判定すると（Ｓ５２：Ｙｅｓ）、情報取得済みフラグ１８ｅを、ＵＲＬ記憶領域２０ｂに記憶されたＵＲＬの全てからフィード情報が未取得であることを示すオフにする（Ｓ５３）。その後、ＣＰＵ１４は、表示情報記憶領域１８ｃに記憶された前回取得のフィード情報から生成された表示情報１１２をテンポラリ記憶領域１８ｄへ転送して記憶させる（Ｓ５４）。
【００６７】
その後、ＣＰＵ１４は、フィード情報を更新するＵＲＬを決定する（Ｓ５５）。具体的には、ＣＰＵ１４は、Ｓ５５の処理で、ＵＲＬ記憶領域２０ｂに記憶されている識別番号１００である符号「ｉ」（図３（ｂ）参照）の値を決定して、フィード情報を更新するＵＲＬを決定している。なお、本実施形態においては、ＣＰＵ１４は、Ｓ５５の処理で、ＵＲＬ記憶領域２０ｂに記憶された識別番号１００（符号）が最小値であるＵＲＬ、つまり、符号が「０」であるＵＲＬをフィード情報を更新する最初のＵＲＬに決定する。
【００６８】
そして、ＣＰＵ１４は、Ｓ５５の処理で決定したＵＲＬにネットワークＩ／Ｆ６０を介して接続し、最新のフィード情報を取得する（Ｓ５６）。そして、ＣＰＵ１４は、取得した最新のフィード情報を解析し、表示情報１１２を作成する（Ｓ５７）。ここで、前述の通り、フィード情報は、図４に示されるサイト情報１２０や更新コンテンツ情報１３２を含んでいる。よって、ＣＰＵ１４は、フィード情報を解析することによって、図４に示される表示情報１１２を作成することができる。
【００６９】
その後、ＣＰＵ１４は、作成した表示情報１１２には更新コンテンツ情報１３２が含まれているか否かを判定する（Ｓ５８）。ＣＰＵ１４は、更新コンテンツ情報１３２が含まれていると判定すると（Ｓ５８：Ｙｅｓ）、その更新コンテンツ情報１３２が新着か否かを判定するために、テンポラリ記憶領域１８ｄに記憶された更新コンテンツ情報１３２と比較する更新コンテンツ情報１３２を、Ｓ５７の処理で作成した表示情報１１２から決定する（Ｓ５９）。
【００７０】
その後、ＣＰＵ１４は、Ｓ５９の処理で決定した更新コンテンツ情報１３２は、テンポラリ記憶領域１８ｄに記憶されたものと同一であるか否かを判定する（Ｓ６０）。ＣＰＵ１４は、Ｓ５９の処理で決定した更新コンテンツ情報１３２が、テンポラリ記憶領域１８ｄに記憶されたものと同一でないと判定すると（Ｓ６０：Ｎｏ）、その更新コンテンツ情報１３２は新着であると判定して、その更新コンテンツ情報１３２に対応する新着フラグ１８ｆをオンする（Ｓ６１）。その後、ＣＰＵ１４は、Ｓ６３の処理へ移行する。
【００７１】
一方、ＣＰＵ１４は、Ｓ５９の処理で決定した更新コンテンツ情報１３２が、テンポラリ記憶領域１８ｄに記憶されたものと同一であると判定すると（Ｓ６０：Ｙｅｓ）、テンポラリ記憶領域１８ｄに記憶され、同一と判定された更新コンテンツ情報１３２の新着フラグ１８ｆがオンであるか否かを判定する（Ｓ６２）。これは、Ｓ５９の処理で決定した更新コンテンツ情報１３２が、テンポラリ記憶領域１８ｄに記憶されたものと同一であっても、テンポラリ記憶領域１８ｄに記憶された同一の更新コンテンツ情報１３２が一度もスクロール表示が行われなかったために、新着フラグ１８ｆがオンとなっている場合があるからである。よって、Ｓ６２の処理を行うことで、前回取得された新着の更新コンテンツ情報１３２を選出することができる。
【００７２】
Ｓ６２の処理で、ＣＰＵ１４は、テンポラリ記憶領域１８ｄに記憶され、Ｓ５９の処理で決定した更新コンテンツ情報１３２と同一の更新コンテンツ情報１３２の新着フラグ１８ｆがオンであると判定すると（Ｓ６２：Ｙｅｓ）、Ｓ５９の処理で決定した更新コンテンツ情報１３２も新着であると判定して、その更新コンテンツ情報１３２に対応する新着フラグ１８ｆをオンする（Ｓ６６）。その後、ＣＰＵ１４は、Ｓ６３の処理へ移行する。
【００７３】
一方、Ｓ６２の処理で、ＣＰＵ１４は、テンポラリ記憶領域１８ｄに記憶され、Ｓ５９の処理で決定した更新コンテンツ情報１３２と同一の更新コンテンツ情報１３２の新着フラグ１８ｆはオフであると判定すると（Ｓ６２：Ｙｅｓ）、Ｓ６３の処理へ移行する。
【００７４】
Ｓ６３の処理では、ＣＰＵ１４は、Ｓ５７で作成した表示情報１１２に、Ｓ５９〜Ｓ６２の処理を行っていない他の更新コンテンツ情報１３２が含まれているか否かを判定する（Ｓ６３）。ＣＰＵ１４は、Ｓ５７で作成した表示情報１１２に他の更新コンテンツ情報１３２が含まれていると判定すると（Ｓ６３：Ｙｅｓ）、Ｓ５９の処理へ戻る。一方、ＣＰＵ１４は、Ｓ５７で作成した表示情報１１２に他の更新コンテンツ情報１３２が含まれていないと判定すると（Ｓ６３：Ｎｏ）、Ｓ５７で作成した表示情報１１２を表示情報記憶領域１８ｃに記憶する（Ｓ６４）。例えば、ゼロ番目のサイトの表示情報１１２がＳ５７の処理で作成された場合、ＣＰＵ１４は、番号「ｉ＝０」に対応づけられている古い表示情報１１２をクリアし、番号「ｉ＝０」に対応づけて新しい表示情報１１２をＳ６４の処理で記憶させる。
【００７５】
その後、ＣＰＵ１４は、ＵＲＬ記憶領域２０ｂに記憶された全てのＵＲＬからフィード情報が取得されたか否かを判定する（Ｓ６５）。なお、Ｓ５８の処理で、ＣＰＵ１４は、フィード情報の取得の失敗等により、作成した表示情報１１２に更新コンテンツ情報１３２が含まれていないと判定した場合にも（Ｓ５８：Ｎｏ）、Ｓ６５の処理を実行する。
【００７６】
ＣＰＵ１４は、ＵＲＬ記憶領域２０ｂに記憶された全てのＵＲＬからフィード情報が取得されたと判定した場合には（Ｓ６５：Ｙｅｓ）、情報取得済みフラグ１８ｅをオンして（Ｓ６６）、データ更新処理を終了する。
【００７７】
なお、Ｓ６５の処理では、ＣＰＵ１４は、Ｓ５５の処理で決定された符号「ｉ」（図３（ｂ）参照）の値が最大値であるｎ−１になったか否かで、全てのＵＲＬからフィード情報が取得されたか否かを判定している。つまり、Ｓ６５の処理では、ＣＰＵ１４は、Ｓ５５の処理で決定された符号「ｉ」がｎ−１となっていなければ、ＵＲＬ記憶領域２０ｂに記憶されたＵＲＬのうち、未だ、フィード情報が取得されていないＵＲＬが存在すると判定する。一方、Ｓ６５の処理では、ＣＰＵ１４は、Ｓ５５の処理で決定された符号「ｉ」がｎ−１となっていれば、ＵＲＬ記憶領域２０ｂに記憶された全てのＵＲＬからフィード情報が取得されたと判定する。
【００７８】
Ｓ６５の処理で、ＣＰＵ１４は、ＵＲＬ記憶領域２０ｂに記憶された全てのＵＲＬから未だフィード情報が取得されていないと判定した場合には（Ｓ６５：Ｎｏ）、Ｓ５５の処理へ戻り、フィード情報を取得するＵＲＬを、ＵＲＬ記憶領域２０ｂに記憶された他のＵＲＬに決定する（Ｓ５５）。このＳ５５の処理では、ＣＰＵ１４は、符号「ｉ」（図３（ｂ）参照）の値を１加算して、フィード情報を取得するＵＲＬを他のＵＲＬに決定する。
【００７９】
上述した通り、データ更新処理によれば、フィード情報を各ＵＲＬから取得して、表示情報記憶領域１８ｃの記憶内容を更新すると共に、新着の更新コンテンツ情報１３２を選出することができる。
【００８０】
次に、図１０を参照して、コンテンツタイトル文字列１４０とコンテンツ更新日時情報１４２とを表示パネル５０にスクロール表示するスクロール表示処理について説明する。図１０は、多機能機１０のＣＰＵ１４によって実行されるスクロール表示処理を示したフローチャートである。
【００８１】
スクロール表示処理では、まず、ＣＰＵ１４は、表示件数決定処理を実行する（Ｓ７１）。ここで、図１１を参照して、各ＵＲＬ毎のデータ表示件数を決定する表示件数決定処理について説明する。図１１は、多機能機１０のＣＰＵ１４によって実行される表示件数決定処理を示したフローチャートである。
【００８２】
表示件数決定処理では、まず、ＣＰＵ１４は、情報取得済みフラグ１８ｅが、ＵＲＬ記憶領域２０ｂに記憶された全てのＵＲＬから最新のフィード情報が取得されたことを示すオンであるか否かを判定する（Ｓ９１）。ＣＰＵ１４は、情報取得済みフラグ１８ｅがオフであると判定すると（Ｓ９１：Ｎｏ）、最新のフィード情報が取得されていないと判定し（表示情報１１２が更新されていないと判定し）、この表示件数決定処理を終了する。
【００８３】
一方、ＣＰＵ１４は、情報取得済みフラグ１８ｅがオンであると判定した場合には（Ｓ９１：Ｙｅｓ）、最新のフィード情報が取得されていると判定し（表示情報１１２が更新されていると判定し）、まず、情報取得済みフラグ１８ｅをオフする（Ｓ９２）。そして、ＣＰＵ１４は、時計装置６６から現在時刻を取得して（Ｓ９３）、スクロール表示するＵＲＬのコンテンツタイトル文字列１４０が、現在時刻においてあるか否かをＵＲＬ記憶領域２０ｂに記憶された表示開始時間および表示終了時間を参照して判定する（Ｓ９４）。ＣＰＵ１４は、スクロール表示するＵＲＬのコンテンツタイトル文字列１４０が現在時刻においてはないと判定すると（Ｓ９４：Ｎｏ）、データ表示件数を全てのＵＲＬで０（ゼロ）件に設定する（Ｓ９５）。
【００８４】
ここで、図１２（ａ）を参照して、データ表示件数が全てのＵＲＬでゼロ件に設定される場合の一例を説明する。図１２（ａ）は、ＵＲＬ記憶領域２０ｂに記憶されたＵＲＬ、表示開始時間および表示終了時間の一例を示した図である。図１２（ａ）に示すように、識別番号１００がｉ＝０（ゼロ）のＵＲＬは、表示開始時間が「６：００」に、表示終了時間が「１５：００」に設定されており、識別番号１００がｉ＝１のＵＲＬは、表示開始時間が「１２：００」に、表示終了時間が「１８：００」に設定されており、識別番号１００がｉ＝２のＵＲＬは、表示開始時間が「１２：００」に、表示終了時間が「２１：００」に設定されている。よって、時刻が「２１：００」から「６：００」の間は、スクロール表示の対象となるＵＲＬがない。従って、ＣＰＵ１４は、Ｓ９４でＮｏと判定した場合には、Ｓ９５の処理で、「データ表示件数」を全てのＵＲＬで０（ゼロ）件に設定するのである。これにより、コンテンツタイトル文字列１４０等は、表示パネル５０にスクロール表示されない。
【００８５】
図１１の説明に戻る。ＣＰＵ１４は、スクロール表示するＵＲＬのコンテンツタイトル文字列１４０が現在時刻においてあると判定すると（Ｓ９４：Ｙｅｓ）、Ｓ９３で取得した現在時刻とＵＲＬ記憶領域２０ｂの記憶内容とを参照し、スクロール表示するＵＲＬの数を特定する（Ｓ９６）。そして、ＣＰＵ１４は、特定したＵＲＬの数で、表示設定メモリ２０ｃに記憶された最大表示件数を除算し、除算結果を特定した各ＵＲＬ毎のデータ表示件数に決定し、特定されなかった各ＵＲＬ毎のデータ表示件数をゼロに決定する（Ｓ９７）。その後、ＣＰＵ１４は、表示設定メモリ２０ｃに記憶された新着時表示件数の設定は、「固定しない」であるか否かを判定する（Ｓ９８）。ＣＰＵ１４は、表示設定メモリ２０ｃに記憶された新着時表示件数の設定が「固定する」であると判定すると（Ｓ９８：Ｎｏ）、Ｓ９７で決定した各ＵＲＬ毎のデータ表示件数をスクロール表示処理で使用する各ＵＲＬ毎のデータ表示件数に決定し、この表示件数決定処理を終了する。
【００８６】
ここで、図１２（ｂ）を参照して、ＣＰＵ１４が、Ｓ９８の処理でＮｏと判定した場合に、スクロール表示処理で使用されるデータ表示件数について説明する。図１２（ｂ）は、表示設定メモリ２０ｃに記憶される最大表示件数が「３０」件に設定され、新着時表示件数が「固定する」場合の、スクロール表示処理で使用される各ＵＲＬ毎のデータ表示件数を示した図である。
【００８７】
図１２（ｂ）に示すように、例えば、「６：００」〜「１１：５９」までについては、スクロール表示するＵＲＬのコンテンツタイトル文字列１４０等は、識別番号１００がｉ＝０のＵＲＬのみであるので、ＣＰＵ１４は、Ｓ９６で、スクロール表示するＵＲＬの数を「１」と特定する。そして、ＣＰＵ１４は、Ｓ９７で、特定したＵＲＬの数である「１」で、最大表示件数「３０」件を除算する。すると、除算結果は「３０」となり、特定したＵＲＬ、即ち、識別番号１００がｉ＝０のＵＲＬのデータ表示件数を「３０」に決定し、識別番号１００がｉ＝１，２のＵＲＬのデータ表示件数を「０（ゼロ）」に決定する。
【００８８】
よって、「６：００」〜「１１：５９」までについては、識別番号１００がｉ＝０のＵＲＬのデータ表示件数は「３０」となり、識別番号１００がｉ＝１および２のＵＲＬのデータ表示件数は、それぞれ「０（ゼロ）」となる。なお、データ表示件数が「０（ゼロ）」となると、スクロール表示が行われないので、図１２（ｂ）では、「−」の記号で表示している。これは、後述する図１２（ｄ）においても同様である。
【００８９】
また、図１２（ｂ）に示すように、例えば、「１２：００」〜「１４：５９」までについては、スクロール表示するＵＲＬのコンテンツタイトル文字列１４０等は、識別番号１００がｉ＝０，１，２の３つＵＲＬとなるので、ＣＰＵ１４は、Ｓ９６で、スクロール表示するＵＲＬの数を「３」と特定する。そして、ＣＰＵ１４は、Ｓ９７で、特定したＵＲＬの数である「３」で、最大表示件数「３０」件を除算する。すると、除算結果は「１０」となり、特定したＵＲＬ、即ち、識別番号１００がｉ＝０，１，２のＵＲＬのデータ表示件数を「１０」に決定する。
【００９０】
よって、「１２：００」〜「１４：５９」までについては、識別番号１００がｉ＝０，１，２のＵＲＬのデータ表示件数は、それぞれ「１０」となる。
【００９１】
このように、新着時表示件数が「固定する」の場合には、各ＵＲＬ毎のデータ表示件数が除算により決定される。よって、各ＵＲＬ毎のデータ表示件数よりも新着の更新コンテンツ数１３２、即ち、新着のコンテンツタイトル文字列１４０の件数が多くなっても、表示パネル５０には、Ｓ９７で決定した各ＵＲＬ毎のデータ表示件数で、スクロール表示が行われる。
【００９２】
なお、本実施形態の多機能機１０では、Ｓ９６の処理で特定したＵＲＬの数が例えば「４」となり、その「４」で、最大表示件数「３０」件を除算した結果、各ＵＲＬ毎のデータ表示件数が「７．５」となった場合には、各ＵＲＬ毎のデータ表示件数を「８，８，７，７」と設定する。
【００９３】
図１１の説明に戻る。Ｓ９８の処理で、ＣＰＵ１４は、新着時表示件数の設定が「固定しない」であると判定すると（Ｓ９８：Ｙｅｓ）、新着フラグ１８ｆの少なくとも一つがオンであるか否かを判定する（Ｓ９９）。ＣＰＵ１４は、新着フラグ１８ｆの少なくとも一つがオンでなければ（Ｓ９９：Ｎｏ）、新着の更新コンテンツ情報１３２が存在しないので、Ｓ９７で決定された各ＵＲＬ毎のデータ表示件数を変更することで、新着のコンテンツタイトル文字列１４０等の表示件数を増加させ、新着の更新コンテンツ１３２を優先的にスクロール表示する必要はないと判定し、Ｓ９７で決定した各ＵＲＬ毎のデータ表示件数をスクロール表示処理で使用する各ＵＲＬ毎のデータ表示件数に決定して、この表示件数決定処理を終了する。
【００９４】
一方、ＣＰＵ１４は、新着フラグ１８ｆの少なくとも一つがオンであれば（Ｓ９９：Ｙｅｓ）、Ｓ９７の処理で各ＵＲＬ毎に決定したデータ表示件数よりも新着フラグ１８ｆのオン数が多いＵＲＬがあるか否かを判定する（Ｓ１００）。このＳ１００の処理では、ＣＰＵ１４は、各ＵＲＬ毎に、新着フラグ１８ｆがオンとなっている数を検出し、その検出に基づいて判定を行う。
【００９５】
ＣＰＵ１４は、Ｓ９７で各ＵＲＬ毎に決定したデータ表示件数よりも新着フラグ１８ｆのオン数が多いＵＲＬがないと判定すると（Ｓ１００：Ｎｏ）、Ｓ９７でＵＲＬ毎に決定したデータ表示件数で、全ての新着の更新コンテンツ情報１３２に含まれるコンテンツタイトル文字列１４０等を表示することができると判定し、Ｓ９７で決定した各ＵＲＬ毎のデータ表示件数をスクロール表示処理で使用する各ＵＲＬ毎のデータ表示件数に決定して、この表示件数決定処理を終了する。
【００９６】
一方、ＣＰＵ１４は、Ｓ９７で各ＵＲＬ毎に決定したデータ表示件数よりも新着フラグ１８ｆのオン数が多いＵＲＬがあると判定すると（Ｓ１００：Ｙｅｓ）、Ｓ９７で決定した各ＵＲＬ毎のデータ表示件数を最大表示件数を超えることなく変更できるか否かを判定するために、オンである新着フラグ１８ｆの合計数が、表示設定メモリ２０ｃに記憶された最大表示件数以下であるかを判定する（Ｓ１０１）。ＣＰＵ１４は、オンである新着フラグ１８ｆの合計が、表示設定メモリ２０ｃに記憶された最大表示件数を越えていると判定すると（Ｓ１０１：Ｎｏ）、Ｓ９７で決定した各ＵＲＬ毎のデータ表示件数を変更しても、全ての新着の更新コンテンツ情報１３２に含まれるコンテンツタイトル文字列１４０を表示することができないと判定し、Ｓ９７で決定した各ＵＲＬ毎のデータ表示件数をスクロール表示処理で使用する各ＵＲＬ毎のデータ表示件数に決定して、この表示件数決定処理を終了する。
【００９７】
一方、ＣＰＵ１４は、オンである新着フラグ１８ｆの合計数が、表示設定メモリ２０ｃに記憶された最大表示件数以下であると判定すると（Ｓ１０１：Ｙｅｓ）、Ｓ９７で決定した各ＵＲＬ毎のデータ表示件数を変更することで、全ての新着の更新コンテンツ情報１３２に含まれるコンテンツタイトル文字列１４０を表示することができると判定し、Ｓ１０２以下の処理に移行する。
【００９８】
Ｓ１０２の処理では、ＣＰＵ１４は、新着フラグ１８ｆがオンとなっている数が最新のデータ表示件数（Ｓ１０２の処理が初めて行われる場合は、Ｓ９７で決定したデータ表示件数、Ｓ１０２の処理が繰り返して行われる場合には、その時点におけるデータ表示件数）を越えているＵＲＬを特定する（Ｓ１０２）。そして、特定したＵＲＬについて、新着フラグ１８ｆがオンとなっている数から、最新のデータ表示件数（Ｓ１０３の処理が初めて行われる場合は、Ｓ９７で決定したデータ表示件数、Ｓ１０３の処理が繰り返して行われる場合には、その時点におけるデータ表示件数）を減算して、新着の更新コンテンツ情報１３２に含まれるコンテンツタイトル文字列１４０を全て表示するのに不足している数である不足分を算出する（Ｓ１０３）。
【００９９】
その後、ＣＰＵ１４は、算出した不足分を、最新のデータ表示件数（Ｓ１０４の処理が初めて行われる場合は、Ｓ９７で決定したデータ表示件数、Ｓ１０４の処理が繰り返して行われる場合には、その時点におけるデータ表示件数）に加算して、特定したＵＲＬのデータ表示件数を増加する（Ｓ１０４）。そして、新着フラグ１８ｆがオンとなっている数が、最新のデータ表示件数（Ｓ１０５の処理が初めて行われる場合は、Ｓ９７で決定したデータ表示件数、Ｓ１０５の処理が繰り返して行われる場合には、その時点におけるデータ表示件数）未満のＵＲＬについて、最新のデータ表示件数から新着フラグ１８ｆがオンとなっている数を減算し、余裕分をＵＲＬ毎に算出する（Ｓ１０５）。その後、新着フラグ１８ｆがオンとなっている数が最新のデータ表示件数（Ｓ１０６の処理が初めて行われる場合は、Ｓ９７で決定したデータ表示件数、Ｓ１０６の処理が繰り返して行われる場合には、その時点におけるデータ表示件数）未満のＵＲＬのデータ表示件数を、Ｓ１０３で算出された不足分を満たすまで、Ｓ１０５で算出された余裕分を限度として、減算する（Ｓ１０６）。
【０１００】
その後、ＣＰＵ１４は、新着フラグ１８ｆがオンとなっている数が、最新のデータ表示件数（Ｓ１０７の処理が初めて行われる場合は、Ｓ９７で決定したデータ表示件数、Ｓ１０７の処理が繰り返して行われる場合には、その時点におけるデータ表示件数）を越えるＵＲＬが他にあるか否かを判定する（Ｓ１０７）。ＣＰＵ１４は、新着フラグ１８ｆがオンとなっている数が最新のデータ表示件数を越えるＵＲＬが他にあると判定すると（Ｓ１０７：Ｙｅｓ）、Ｓ１０３の処理へ戻り、新着フラグ１８ｆがオンとなっている数が最新のデータ表示件数を越えるＵＲＬがなくなるまで、Ｓ１０２〜Ｓ１０６の処理を繰り返し実行する。一方、ＣＰＵ１４は、新着フラグ１８ｆがオンとなっている数が最新のデータ表示件数を越えるＵＲＬが他にないと判定すると（Ｓ１０７：Ｎｏ）、各ＵＲＬ毎の最新のデータ表示件数をスクロール表示処理で使用する各ＵＲＬ毎のデータ表示件数に決定して、この表示件数決定処理を終了する。
【０１０１】
ここで、図１２（ｃ）および図１２（ｄ）を参照して、Ｓ１０２〜Ｓ１０７の処理結果の一例を説明する。図１２（ｃ）は、各ＵＲＬ毎における、新着の更新コンテンツ情報１３２の数（新着フラグ１８ｆがオンとなった数）を更新時刻毎に表示した図であり、図１２（ｄ）は、表示設定メモリ２０ｃに記憶される最大表示件数が「３０」件に設定され、新着時表示件数が「固定しない」場合の、各ＵＲＬ毎のデータ表示件数を示した図である。なお、図１２（ｃ）においては、表示設定メモリ２０ｃに記憶された情報更新間隔は「３ｈ」に設定され、時刻が「６：００」のときに、更新を開始している。
【０１０２】
図１２（ｃ）に示すように、フィード情報は情報更新間隔である３時間毎に各ＵＲＬから取得されるので、新着の更新コンテンツ情報１３２も３時間毎に更新されている。フィード情報が各ＵＲＬから取得される度に、各ＵＲＬ毎の新着の更新コンテンツ情報１３２の数（新着フラグ１８ｆがオンとなった数）も変化している。
【０１０３】
ここで、図１２（ｃ）に示すように、更新時刻が「１２：００」では、識別番号１００がｉ＝１，２のＵＲＬの新着の更新コンテンツ情報１３２が、最新のデータ表示件数、即ちこの場合には、Ｓ９７で決定された「１２：００〜１４：５９」におけるデータ表示件数を越えている（図１２（ｂ）参照）。また、新着の更新コンテンツ情報１３２の合計数は、「３０」となっている。
【０１０４】
同様に、更新時刻が「１５：００」では、識別番号１００がｉ＝３のＵＲＬの新着の更新コンテンツ情報１３２が、最新のデータ表示件数、即ちこの場合には、Ｓ９７で決定された「１５：００〜１７：５９」におけるデータ表示件数を越えている（図１２（ｂ）参照）。また、新着の更新コンテンツ情報１３２の合計数は、「３０」となっている。
【０１０５】
よって、図１１に示す表示件数決定処理では、Ｓ９２で取得する現在時刻が、「１２：００」および「１５：００」の場合に、ＣＰＵ１４は、Ｓ１００でＹｅｓと判定し、更に、Ｓ１０１でＹｅｓと判定する。
【０１０６】
ここで、Ｓ９２で取得する現在時刻が、「１２：００」である場合の各ＵＲＬのデータ表示件数の変更について説明する。
【０１０７】
Ｓ９２で取得する現在時刻が、「１２：００」である場合には、ＣＰＵ１４は、Ｓ１０２で、新着フラグ１８ｆがオンとなっている数が最新のデータ表示件数を、即ちこの場合には、Ｓ９７で決定したデータ表示件数を越えているＵＲＬは、識別番号１００がｉ＝１のＵＲＬであると特定する。そして、ＣＰＵ１４は、Ｓ１０３で、識別番号１００がｉ＝１のＵＲＬのデータ表示件数の不足分は「５」であると算出し、Ｓ１０４で、不足分「５」を識別情報１００がｉ＝１のＵＲＬのデータ表示件数、即ちこの場合には、Ｓ９７で決定したデータ表示件数「１０」に加算して、識別情報１００がｉ＝１００のＵＲＬの最新のデータ表示件数を「１５」に増加する。
【０１０８】
その後、ＣＰＵ１４は、Ｓ１０５の処理で、新着フラグ１８ｆがオンとなっている数が、最新のデータ表示件数、即ちこの場合には、Ｓ９７で決定したデータ表示件数「１０」未満のＵＲＬである、識別情報１００がｉ＝０のＵＲＬ、および識別情報１００がｉ＝２のＵＲＬについて、それぞれ、最新のデータ表示件数であるＳ９７で決定したデータ表示件数「１０」から新着フラグ１８ｆがオンとなっている数「８」、および「７」を減算して、識別情報１００がｉ＝０のＵＲＬの余裕分を「２」と算出し、識別情報１００がｉ＝２のＵＲＬの余裕分を「３」と算出する。
【０１０９】
そして、ＣＰＵ１４は、Ｓ１０６の処理で、識別情報１００がｉ＝０のＵＲＬの最新のデータ表示件数、即ちこの場合には、Ｓ９７で決定したデータ表示件数「１０」を、Ｓ１０３で算出した不足分「５」を満たすまで、Ｓ１０５で算出した、識別情報１００がｉ＝０のＵＲＬの余裕分「２」を限度として、減算する。この場合、識別情報１００がｉ＝０のＵＲＬのデータ表示件数「１０」から「２」が減算され、識別情報１００がｉ＝０のＵＲＬの最新のデータ表示件数は「８」となる。このとき、不足分は未だ「３」であるので、Ｓ１０３で算出した不足分「５」を満たしていない。よって、ＣＰＵ１４は、更に、Ｓ１０６の処理で、識別情報１００がｉ＝２のＵＲＬの最新のデータ表示件数、即ちこの場合には、Ｓ９７で決定したデータ表示件数「１０」を、Ｓ１０３で算出した不足分「５」が満たされるまで、Ｓ１０５で算出した、識別情報１００がｉ＝２のＵＲＬの余裕分「３」を限度として、減算する。この場合、識別情報１００がｉ＝２のＵＲＬのデータ表示件数「１０」から「３」が減算され、識別情報１００がｉ＝０のＵＲＬの最新のデータ表示件数は「７」となる。これにより、Ｓ１０３で算出した不足分「５」が満たされる。
【０１１０】
これにより、図１２（ｄ）に示すように、識別情報がｉ＝０，１，２のＵＲＬの最新のデータ表示件数はそれぞれ、「８，１５，７」となる。この最新のデータ表示件数は、次回の更新時刻である「１５：００」直前まで維持される。よって、時刻「１２：００〜１４：５９」においては、識別情報がｉ＝０，１，２のＵＲＬの最新のデータ表示件数はそれぞれ、「８，１５，７」が維持される。従って、図１２（ｃ）の更新時刻「１２：００」における新着の更新コンテンツ情報１３２に含まれる新着の更新コンテンツ文字列１４０を全て表示できることとなる。
【０１１１】
その後、ＣＰＵ１４は、Ｓ１０７の処理で、新着フラグ１８ｆがオンとなっている数が最新のデータ表示件数を越えるＵＲＬが他にないと判定し、この表示件数決定処理を終了する。
【０１１２】
ここで、図示していないが、Ｓ９２で取得する現在時刻が、「１２：００〜１４：５９」であり、更新時刻が「１２：００」の場合に、識別番号１００がｉ＝０，１，２のＵＲＬの新着の更新コンテンツ情報１３２が、それぞれ「５，１１，１２」である場合についても説明する。なお、この場合には、Ｓ１０２〜Ｓ１０６の処理が、２回実行されるパターンである。
【０１１３】
この場合には、ＣＰＵ１４は、Ｓ１０２で、新着フラグ１８ｆがオンとなっている数が最新のデータ表示件数を、即ちこの場合には、Ｓ９７で決定したデータ表示件数を越えているＵＲＬは、識別番号１００がｉ＝１のＵＲＬであると特定する。そして、ＣＰＵ１４は、Ｓ１０３で、識別番号１００がｉ＝１のＵＲＬのデータ表示件数の不足分は「１」であると算出し、Ｓ１０４で、不足分「１」を、識別情報１００がｉ＝１のＵＲＬの最新のデータ表示件数、即ちこの場合には、Ｓ９７で決定したデータ表示件数「１０」に加算して、識別情報１００がｉ＝１のＵＲＬの最新のデータ表示件数を「１１」に増加する。
【０１１４】
その後、ＣＰＵ１４は、Ｓ１０５の処理で、新着フラグ１８ｆがオンとなっている数が、最新のデータ表示件数、即ちこの場合には、Ｓ９７で決定したデータ表示件数「１０」未満のＵＲＬである、識別情報１００がｉ＝０のＵＲＬについて、現在のデータ表示件数であるＳ９７で決定したデータ表示件数「１０」から新着フラグ１８ｆがオンとなっている数「５」を減算して、識別情報１００がｉ＝０のＵＲＬの余裕分を「５」と算出する。
【０１１５】
そして、ＣＰＵ１４は、Ｓ１０６の処理で、識別情報１００がｉ＝０のＵＲＬの最新のデータ表示件数、即ちこの場合には、Ｓ９７で決定したデータ表示件数「１０」を、Ｓ１０３で算出した不足分「１」を満たすまで、Ｓ１０５で算出した、識別情報１００がｉ＝０のＵＲＬの余裕分「５」を限度として、減算する。この場合、識別情報１００がｉ＝０のＵＲＬの現在のデータ表示件数「１０」から「１」が減算され、識別情報１００がｉ＝０のＵＲＬの最新のデータ表示件数は「９」となる。これにより、Ｓ１０３で算出した不足分「１」が満たされる。
【０１１６】
その後、新着フラグ１８ｆがオンとなっている数が現在のデータ表示件数を越えるＵＲＬが他にあるかを判定し、識別情報１００がｉ＝２のＵＲＬが、最新のデータ表示件数、即ち、Ｓ９７で決定したデータ表示件数「１０」を越えていると判定する。
【０１１７】
そして、ＣＰＵ１４は、Ｓ１０２で、新着フラグ１８ｆがオンとなっている数が最新のデータ表示件数、即ちこの場合には、Ｓ９７で決定したデータ表示件数「１０」を越えているＵＲＬは、識別番号１００がｉ＝２のＵＲＬであると特定する。そして、ＣＰＵ１４は、Ｓ１０３で、識別番号１００がｉ＝２のＵＲＬのデータ表示件数の不足分は「２」であると算出し、Ｓ１０４で、不足分「２」を、識別情報１００がｉ＝２のＵＲＬの最新のデータ表示件数、即ちこの場合には、Ｓ９７で決定したデータ表示件数「１０」に加算して、識別情報１００がｉ＝１のＵＲＬの現在のデータ表示件数を「１２」に増加する。
【０１１８】
その後、ＣＰＵ１４は、Ｓ１０５の処理で、新着フラグ１８ｆがオンとなっている数が、最新のデータ表示件数「９」未満のＵＲＬである、識別情報１００がｉ＝０のＵＲＬについて、現在のデータ表示件数である「９」から新着フラグ１８ｆがオンとなっている数「５」を減算して、識別情報１００がｉ＝０のＵＲＬの余裕分を「４」と算出する。
【０１１９】
そして、ＣＰＵ１４は、Ｓ１０６の処理で、識別情報１００がｉ＝０のＵＲＬの最新のデータ表示件数「９」を、Ｓ１０３で算出した不足分「２」が満たされるまで、Ｓ１０５で算出した識別情報１００がｉ＝０のＵＲＬの余裕分「４」を限度として、減算する。この場合、識別情報１００がｉ＝０のＵＲＬのデータ表示件数「９」から「２」が減算され、識別情報１００がｉ＝０のＵＲＬの最新のデータ表示件数は「７」となる。これにより、Ｓ１０３で算出した不足分「２」が満たされる。
【０１２０】
これにより、時刻「１２：００〜１４：５９」においては、識別情報がｉ＝０，１，２のＵＲＬのデータ表示件数はそれぞれ、「７，１１，１２」となり、更新時刻「１２：００」における新着の更新コンテンツ情報１３２に含まれる新着の更新コンテンツ文字列１４０を全て表示できることとなる。
【０１２１】
その後、ＣＰＵ１４は、Ｓ１０６の処理で、新着フラグ１８ｆがオンとなっている数が現在のデータ表示件数を越えるＵＲＬが他にないと判定し、この表示件数決定処理を終了する。
【０１２２】
最後に、Ｓ９２で取得する現在時刻が、「１５：００〜１７：５９」である場合の各ＵＲＬのデータ表示件数の変更について説明する。
【０１２３】
Ｓ９２で取得する現在時刻が、「１５：００〜１７：５９」である場合には、ＣＰＵ１４は、Ｓ１０２で、新着フラグ１８ｆがオンとなっている数が最新のデータ表示件数を、即ちこの場合には、Ｓ９７で決定したデータ表示件数を越えているＵＲＬは、識別番号１００がｉ＝２のＵＲＬであると特定する。そして、ＣＰＵ１４は、Ｓ１０３で、識別番号１００がｉ＝２のＵＲＬのデータ表示件数の不足分は「２」であると算出し、Ｓ１０４で、不足分「２」を識別情報１００がｉ＝２のＵＲＬの最新のデータ表示件数、即ちこの場合には、Ｓ９７で決定したデータ表示件数「１５」に加算して、識別情報１００がｉ＝１００のＵＲＬの最新のデータ表示件数を「１７」に増加する。
【０１２４】
その後、ＣＰＵ１４は、Ｓ１０５の処理で、新着フラグ１８ｆがオンとなっている数が、最新のデータ表示件数、即ちこの場合には、Ｓ９７で決定したデータ表示件数「１５」未満のＵＲＬである、識別情報１００がｉ＝１のＵＲＬについて、最新のデータ表示件数であるＳ９７で決定したデータ表示件数「１５」から新着フラグ１８ｆがオンとなっている数「２」を減算して、識別情報１００がｉ＝１のＵＲＬの余裕分を「１３」と算出する。
【０１２５】
そして、ＣＰＵ１４は、Ｓ１０６の処理で、識別情報１００がｉ＝１のＵＲＬの最新のデータ表示件数「１５」を、Ｓ１０３で算出した不足分「２」が満たされるまで、Ｓ１０５で算出した、識別情報１００がｉ＝１のＵＲＬの余裕分「１３」を限度として、減算する。この場合、識別情報１００がｉ＝１のＵＲＬのデータ表示件数「１５」から「２」が減算され、識別情報１００がｉ＝０のＵＲＬの最新のデータ表示件数は「１３」となる。これにより、Ｓ１０３で算出した不足分「２」が満たされる。
【０１２６】
これにより、図１２（ｄ）に示すように、時刻「１５：００〜１７：５９」における、識別情報がｉ＝０，１，２のＵＲＬの最新のデータ表示件数はそれぞれ、「−（ゼロ），１３，１７」となる。よって、図１２（ｃ）の更新時刻「１５：００」における新着の更新コンテンツ情報１３２に含まれる新着の更新コンテンツ文字列１４０を全て表示できることとなる。
【０１２７】
なお、図１２（ｃ）の更新時刻「１５：００」においては、識別情報１００がｉ＝０のＵＲＬの新着の更新コンテンツ情報１３２が１つ存在するが、時刻「１５：００〜１７：５９」においては、識別情報１００がｉ＝０のＵＲＬについてはスクロール表示を行わないので、この新着の更新コンテンツ情報１３２は、データ表示件数の変更に影響を与えない。これは、識別情報１００がｉ＝１のＵＲＬの新着コンテンツ情報１３２が「１７」存在する更新時刻「９：００」および識別情報１００がｉ＝０のＵＲＬの新着コンテンツ情報１３２が「２０」存在する更新時刻「１８：００」でも同様である。
【０１２８】
上述した通り、新着時表示件数が「固定しない」場合においては、Ｓ９７で決定された各ＵＲＬのデータ表示件数よりも新着フラグ１８ｆのオンの数が多いＵＲＬがあると判定され、更に、オンである新着フラグ１８ｆの合計が最大表示件数以下である場合には、各ＵＲＬ毎のデータ表示件数を変更することで、新着のコンテンツタイトル文字列１４０等の表示件数を増加させ、新着の更新コンテンツ１３２を優先的にスクロール表示する。よって、ユーザは、表示パネル５０に表示させるＵＲＬ（表示情報１１２）の表示開始時間および表示終了時間を設定することで、各時間帯において、所望のコンテンツタイトル文字列１４０等を短時間で視認できる上に、新着のコンテンツタイトル文字列１４０を特に短時間で視認することができる。
【０１２９】
また、上述した通り、新着フラグ１８ｆがオンとなっている数が最新のデータ表示件数未満であるＵＲＬのデータ表示件数を減少させる場合には、減少する数を、Ｓ１０５で算出した余裕分を限度としている。よって、新着フラグ１８ｆがオンとなっている数が最新のデータ表示件数未満であるＵＲＬのデータ表示件数が、最新の更新コンテンツ情報１３２の全てを表示できなくなる数に減少されてしまうことを防止することができる。
【０１３０】
図１０の説明に戻る。Ｓ７１の処理が完了すると、ＣＰＵ１４は、ＵＲＬ記憶領域２０ｂに記憶されたＵＲＬを参照する（Ｓ７２）。そして、ＣＰＵ１４は、フィード情報を取得するＵＲＬがＵＲＬ記憶領域２０ｂに記憶されているか否かを判定する（Ｓ７３）。ＣＰＵ１４は、フィード情報を取得するＵＲＬがＵＲＬ記憶領域２０ｂに記憶されていないと判定すると（Ｓ７３：Ｎｏ）、フィード情報が取得されておらず、コンテンツタイトル文字列１４０およびコンテンツ更新日時情報１４２を表示パネル５０に表示することができないので、このスクロール表示処理を終了する。
【０１３１】
一方、Ｓ７３の処理で、ＣＰＵ１４は、フィード情報を取得するＵＲＬがＵＲＬ記憶領域２０ｂに記憶されていると判定すると（Ｓ７３：Ｙｅｓ）、表示パネル５０にスクロール表示するＵＲＬを決定する（Ｓ７４）。具体的には、ＣＰＵ１４は、Ｓ７４の処理で、表示情報記憶領域１８ｃに記憶されている識別番号１１０である符号「ｉ」（図４参照）の値を決定して、スクロール表示するＵＲＬを決定している。なお、本実施形態においては、ＣＰＵ１４は、Ｓ７４の処理で、表示情報記憶領域１８ｃに記憶された識別番号１１０（符号）が最小値であるＵＲＬ、つまり、符号が「０」であるＵＲＬを最初にスクロール表示するＵＲＬに決定する。
【０１３２】
そして、ＣＰＵ１４は、Ｓ７４の処理で決定したＵＲＬのスクロール変数を「表示中」に設定し、その他のＵＲＬのスクロール変数を「完了」に設定する（Ｓ７５）。なお、スクロール変数は、ＵＲＬ記憶領域２０ｂに記憶された各ＵＲＬ毎に設けられており、スクロール変数が「表示中」に設定されたＵＲＬについては、そのＵＲＬから取得されたフィード情報により生成されたコンテンツタイトル文字列１４０およびコンテンツ更新日時情報１４２が表示パネル５０でスクロール表示されていることを示している。一方、スクロール変数が「完了」に設定されたＵＲＬについては、そのＵＲＬから取得されたフィード情報により生成されたコンテンツタイトル文字列１４０およびコンテンツ更新日時情報１４２はスクロール表示されていないことを示している。このスクロール変数の設定により、ＣＰＵ１４は、表示パネル５０でスクロール表示されているコンテンツタイトル文字列１４０およびコンテンツ更新日時情報１４２がいずれのＵＲＬのものであるかを検出することができる。なお、このスクロール変数は、ＲＡＭ１８の所定領域に記憶される。
【０１３３】
Ｓ７５の処理後、ＣＰＵ１４は、Ｓ７４の処理で決定されたＵＲＬに対応する更新コンテンツ情報１３２を、表示件数決定処理（Ｓ７１）で決定されたデータ表示件数に応じて、表示情報記憶領域１８ｃから取得する（Ｓ７６）。このとき、ＣＰＵ１４は、Ｓ７４の処理で決定されたＵＲＬに対応する更新コンテンツ情報１３２を、識別番号１３０が「ｊ＝０」から順に、決定されたデータ表示件数となるまで取得する。前述の通り、表示情報記憶領域１８ｃは、識別番号１３０が「ｊ＝０」から順に、新着の更新コンテンツ情報１３２を各ＵＲＬ毎に記憶しているので、Ｓ７５で、ＣＰＵ１４により取得される更新コンテンツ情報１３２は、全ての最新の更新コンテンツ情報１３２が含まれる。
【０１３４】
Ｓ７６の処理後、ＣＰＵ１４は、取得した更新コンテンツ情報１３２を用いて、コンテンツタイトル文字列１４０およびコンテンツ更新日時情報１４２を表示パネル５０にスクロール表示する（Ｓ７７）。
【０１３５】
Ｓ７７の処理後、ＣＰＵ１４は、スクロール表示に使用した更新コンテンツ情報１３２に対応する新着フラグ１８ｆをオフして（Ｓ７８）、表示パネル５０へのスクロール表示が終了したＵＲＬのスクロール変数を「完了」に設定する（Ｓ７９）。その後、ＣＰＵ１４は、ＵＲＬ記憶領域２０ｂに記憶されたＵＲＬのうち、未だ、スクロール変数が「表示中」に切り換えられていないＵＲＬ、即ち、スクロール表示を行っていないＵＲＬが存在するか否かを判定する（Ｓ８０）。
【０１３６】
具体的には、Ｓ８０の処理においては、ＣＰＵ１４は、Ｓ７４の処理で決定された識別情報１１０である「ｉ」（図４参照）の値が最大値であるｎ−１になったか否かで、スクロール表示を行っていないＵＲＬが存在するか否かを判定している。つまり、Ｓ８０の処理では、ＣＰＵ１４は、Ｓ７４の処理で決定された識別情報１１０である「ｉ」がｎ−１となっていなければ、ＵＲＬ記憶領域２０ｂに記憶されたＵＲＬのうち、未だ、スクロール変数が「表示中」に切り換えられていないＵＲＬが存在すると判定する。一方、Ｓ７９の処理では、ＣＰＵ１４は、Ｓ７４の処理で決定された識別情報１１０である「ｉ」がｎ−１となっていれば、ＵＲＬ記憶領域２０ｂに記憶されたＵＲＬの全てのスクロール変数が、「表示中」に切換られたと判定する。
【０１３７】
Ｓ８０の処理で、ＣＰＵ１４は、ＵＲＬ記憶領域２０ｂに記憶されたＵＲＬのうち、未だ、スクロール変数が「表示中」に切り換えられていないＵＲＬが存在すると判定した場合には（Ｓ８０：Ｙｅｓ）、Ｓ７４の処理へ戻り、スクロール表示するＵＲＬを、ＵＲＬ記憶領域２０ｂに記憶された他のＵＲＬに決定する（Ｓ７４）。このＳ７４の処理では、ＣＰＵ１４は、識別情報１１０である「ｉ」（図４参照）の値を１加算して、スクロール表示するＵＲＬを他のＵＲＬに決定する。
【０１３８】
一方、Ｓ８０の処理で、ＣＰＵ１４は、ＵＲＬ記憶領域２０ｂに記憶されたＵＲＬの全てのスクロール変数が、「表示中」に切換られたと判定した場合には（Ｓ８０：Ｎｏ）、このスクロール表示処理を終了する。
【０１３９】
上述したスクロール表示により、表示件数決定処理で決定された各ＵＲＬのデータ表示件数に合わせて、ＵＲＬ毎に、所望のコンテンツタイトル文字列１４０およびコンテンツ更新日時情報１４２を表示パネル５０にスクロール表示することができる。
【０１４０】
上述した通り、本実施形態の多機能機１０によれば、コンテンツタイトル文字列１４０およびコンテンツ更新日時情報１４２を表示パネル５０にスクロール表示する時間帯を、コンテンツタイトル文字列１４０等の提供先であるＵＲＬ毎に設定することができる。そして、ＵＲＬ毎に設定した時間帯に応じて、コンテンツタイトル文字列１４０およびコンテンツ更新日時情報１４２を表示パネル５０にスクロール表示することができる。これにより、コンテンツタイトル文字列１４０等を全てスクロール表示させるのではなく、設定した時間帯に合致するコンテンツタイトル文字列１４０等だけを、スクロール表示させることができる。よって、時間帯に応じて、スクロール表示させる所望のコンテンツタイトル文字列１４０等を設定することで、所望のコンテンツタイトル文字列１４０等がスクロール表示されるまでの時間を短縮することができる。従って、所望のコンテンツタイトル文字列１４０等を短時間で視認することができる。
【０１４１】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１４２】
本実施形態の多機能機１０では、表示件数設定処理のＳ１０１の処理において、オンである新着フラグ１８ｆの合計数が最大表示件数を超える場合には、Ｓ９７で決定した各ＵＲＬ毎のデータ表示件数をスクロール表示処理で使用する各ＵＲＬ毎のデータ表示件数に決定したがこれに限られるものではない。即ち、図１２（ｃ）における更新時刻「１２：００」の新着の更新コンテンツ情報１３２が、識別情報ｉ＝０，１，２のＵＲＬの毎に「１５，１０，６」であり、合計数が最大表示件数「３０」を越えている場合には、時刻「１２：００〜１４：５９」においては、Ｓ９７で決定した各ＵＲＬ毎のデータ表示件数「１０，１０，１０」をスクロール表示処理で使用する各ＵＲＬ毎のデータ表示件数とするのではなく、例えば、識別情報ｉ＝０，１，２の各ＵＲＬのデータ表示件数を「１５，１０，５」に決定して、スクロール表示処理で使用する各ＵＲＬ毎のデータ表示件数としても良い。この場合には、識別情報ｉ＝２の各ＵＲＬ新着の更新コンテンツ情報１３２が１つ減少するが、識別情報ｉ＝０の各ＵＲＬ新着の更新コンテンツ情報１３２をより多くスクロール表示することができる。
【０１４３】
また、本実施形態においては、各コンテンツのタイトルを表示する対象を多機能機１０としたが、これに限られるものではない。即ち、各コンテンツのタイトルを表示する対象を、スキャナ装置、プリンタ装置、或いは電話機等、表示パネル５０が搭載可能である装置としても良い。この構成の場合には、スキャナ装置、プリンタ装置、或いは電話機に設けられた表示パネル５０に、各コンテンツのタイトルを表示することができる。
【０１４４】
また、本実施形態の多機能機システム２では、多機能機１０と、ＰＣ７０，７１とは、ケーブルにて（有線にて）、互いに接続されていたが、これに限られるものではない。即ち、多機能機１０およびＰＣ７０，７１の各々に無線通信インターフェイスを設け、その無線通信インターフェイスを用いて、多機能機１０とＰＣ７０，７１とを無線通信によって電気的に接続しても良い。
【０１４５】
また、本実施形態においては、各コンテンツ提供サーバ９０，９１は、コンテンツとフィード情報の両方を記憶していたが、これに限られるものではなく、コンテンツを記憶するためのサーバとフィード情報を記憶するためのサーバが別体に構成されていてもよい。
【０１４６】
また、本実施形態においては、多機能機１０は、ブラウザプログラムを有していなかったが、これに限られるものではなく、多機能機１０は、ブラウザプログラムを有していてもよい。この構成の場合には、多機能機１０は、コンテンツをダウンロードして表示パネル５０で表示することができる。
【図面の簡単な説明】
【０１４７】
【図１】本発明の一実施形態における多機能機システムの概略を示した図である。
【図２】多機能機の電気的構成を示すブロック図である。
【図３】（ａ）は、表示パネルに表示されるサイト設定画面を示した図であり、（ｂ）は、ＵＲＬ記憶領域の記憶内容の一例を示した図である。
【図４】表示情報記憶領域の記憶内容の一例を示した図である。
【図５】表示パネルに表示される表示設定画面を示した図である。
【図６】多機能機により実行されるメイン処理を示したフローチャートである。
【図７】多機能機により実行されるサイト設定処理を示したフローチャートである。
【図８】多機能機により実行される表示設定処理を示したフローチャートである。
【図９】多機能機により実行されるデータ更新処理を示したフローチャートである。
【図１０】多機能機により実行されるスクロール表示処理を示したフローチャートである。
【図１１】多機能機により実行される表示件数決定処理を示したフローチャートである。
【図１２】（ａ）は、各ＵＲＬにおける表示開始時間および表示終了時間を示した図であり、（ｂ）は、Ｓ９７で決定される各ＵＲＬのデータ表示件数を示した図であり、（ｃ）は、各更新時刻における新着の更新コンテンツ情報の数を示した図であり、（ｄ）は、各ＵＲＬのデータ表示件数を変更した場合に決定される各ＵＲＬのデータ表示件数を示した図である。
【符号の説明】
【０１４８】
１０          多機能機（通信装置の一例）
１６ｂ        インターネット接続プログラム（要約情報取得手段の一例）
１８ｃ        表示情報記憶領域（要約情報記憶手段の一例）
２０ｂ        ＵＲＬ記憶領域（位置情報記憶手段の一例）
２０ｃ        表示設定メモリ（時間帯設定手段の一例）
５０          表示パネル（表示手段の一例）
６６          時計装置（時計手段の一例）
Ｓ５９〜Ｓ６３      データ更新処理（算出手段の一例）
Ｓ７６        スクロール表示処理（表示制御手段の一部の一例）
Ｓ９７        表示件数決定処理（優先表示手段の一部の一例、設定手段の一例）
Ｓ９８        表示件数決定処理（優先表示手段の一部の一例）
Ｓ９９      表示件数決定処理（優先表示手段の一部の一例）
Ｓ１００      表示件数決定処理（優先表示手段の一部の一例、第１判定手段の一例）
Ｓ１０１      表示件数決定処理（優先表示手段の一部の一例、以下判定手段の一例）
Ｓ１０２      表示件数決定処理（優先表示手段の一部の一例）
Ｓ１０３      表示件数決定処理（優先表示手段の一部の一例）
Ｓ１０４      表示件数決定処理（優先表示手段の一部の一例、増加手段の一例、第１増加手段の一例
Ｓ１０５      表示件数決定処理（優先表示手段の一部の一例、第２判定手段の一例）
Ｓ１０６      表示件数決定処理（優先表示手段の一部の一例、減少手段の一例、第１減少手段の一例、制限手段の一例）
Ｓ１０７      表示件数決定処理（優先表示手段の一部の一例）
表示件数決定処理      （抽出手段の一例、表示制御手段の一部の一例）
【図１】
2010092280.tif 000003
【図２】
2010092280.tif 000004
【図３】
2010092280.tif 000005
【図４】
2010092280.tif 000006
【図５】
2010092280.tif 000007
【図６】
2010092280.tif 000008
【図７】
2010092280.tif 000009
【図８】
2010092280.tif 000010
【図９】
2010092280.tif 000011
【図１０】
2010092280.tif 000012
【図１１】
2010092280.tif 000013
【図１２】
2010092280.tif 000014